【事件の表示】
　特許第３２７０２６１号「透過型スクリーンとその製造方法及びそれを用いた背面投写型画像ディスプレイ装置」の請求項１ないし３２に係る特許に対する特許異議の申立てについて、次のとおり決定する。
【結　論】
　訂正を認める。
　特許第３２７０２６１号の請求項１ないし３２に係る特許を維持する。
【理　由】
１．手続きの経緯
　本件特許第３２７０２６１号は、平成６年１１月２日に出願され、平成１４年１月１８日にその特許の設定登録がなされ、その後、異議申立人株式会社クラレ及び株式会社ディスクから特許異議の申立てがなされ、取消理由通知がなされ、その指定期間内である平成１５年２月３日に訂正請求がなされたものである。
１．１　異議申立ての概要
　異議申立人株式会社クラレは、甲第１号証（特開平２−２５１９４５号公報）、甲第２号証（特開平５−６６４７９号公報）、甲第３号証（実願昭６２−７４９９５号（実開昭６３−１８７１４０号公報）のマイクロフィルム）、甲第４号証（特開平４−３７２９３９号公報）、甲第５号証（特開昭６２−１５７０２３号公報）、甲第６号証（特開平５−９２６４号公報）、甲第７号証（特開平５−１０５８４１号公報）及び甲第８号証（堂山昌男・山本良一編　瓜生敏之、堀江一之、白石振作著「材料テクノロジー１６　ポリマー材料　第６４，６５頁　初版）を提出し、本件請求項１、２９及び３２に係る発明は、異議申立人株式会社クラレが提出した異議申立書記載の理由により、上記甲第１号証記載の発明に記載された発明であるから、本件請求項１、２９及び３２に係る特許は、特許法第２９条第１項第３号に該当し、特許法第２９条第１項の規定に違反してなされたものであり、本件請求項１〜３２に係る発明は、異議申立人株式会社クラレが提出した異議申立書記載の理由により、上記甲第１〜８号証記載の発明に基いて当業者が容易に発明できたものであるから、本件請求項１〜３２に係る特許は、特許法第２９条第２項の規定に違反してなされたものであり、本件請求項１〜３２に係る特許を取消すべき旨主張している。
　また、異議申立人株式会社ディスクは、甲第１号証（特開平５−６６４７９号公報）、甲第２号証（特開平４−３０６６３０号公報）、甲第３号証（特開平２−２５１９４５号公報）、甲第４号証（特開平２−２７５９３４号公報）、甲第５号証（特開平６−１６０９８２号公報）、甲第６号証（特開昭６２−１５７０２３号公報）、甲第７号証（特開平４−３７２９３９号公報）、甲第８号証（特開平５−２８９１７８号公報）及び甲第９号証（特開昭６３−２６０９３２号公報）を提出し、本件請求項１〜３、５〜７、１３〜１９、２１〜２３、２９〜３２に係る発明は、異議申立人株式会社ディスクが提出した異議申立書記載の理由により、上記甲第１〜９号証記載の発明に基いて当業者が容易に発明できたものであるから、本件請求項１〜３、５〜７、１３〜１９、２１〜２３、２９〜３２に係る特許は、特許法第２９条第２項の規定に違反してなされたものであり、本件請求項１〜３、５〜７、１３〜１９、２１〜２３、２９〜３２に係る特許を取消すべき旨主張している。
１．２　異議申立人株式会社クラレが提出した甲第１〜８号証の記載内容
１．２．１　甲第１号証の記載内容
　甲第１号証の特許請求の範囲（１）及び（７）には、「（１）指向性の狭い光を指向性の広い光に変換して透過させる光拡散手段を備えた光拡散板と、観察者側に配置される透過性板とを備え、前記透光性板は内部に光拡散手段を含まず、出射面が平面状で、内部または出射面近傍に光吸収剤を備えた透過型スクリーン。
（７）入射面にレンティキュラレンズを形成したレンティキュラ板と、前記レンティキュラ板の観察者側に配置される透光性板とを備え、前記透光性板は光拡散手段を含まず、出射面が平面状で、内部または出射面近傍に光吸収剤を備え、前記レンティキュラ板と前記透光性板とを結合した透過型スクリーン。」と記載されている。
　甲第１号証の第２頁右上欄第１行〜第９行には、「レンティキュラ板２は、内部に光散乱粒子を分散させた透光性板の表面に１素子の長手方向を垂直方向に向けたレンティキュラレンズ４を配列したものであり、垂直方向の適視視野角を大きくしないで水平方向の適視視野角を広くするためのものである。レンティキュラ板２の観察者側面の光が通過しない領域にストライプ状に光吸収物質を塗着したものもある。」と記載されている。
　甲第１号証の第２頁右下欄第１２行〜第３頁右上欄第１２行には、「実施例　　以下本発明による透過型スクリーンの一実施例について添付図面を参照しながら説明する。
　第１図は本発明の一実施例における透過型スクリーンの構成を示したもので、５は光拡散板、６は透光性板、７はレンティキュラレンズ、８はフレネルレンズである。…透光性板６の可視領域（３８０ｎｍ〜７２０ｎｍ）における最大透過率は、７０％以下にするとよい。
７０％以下でない場合には、コントラスト向上の効果がほとんど感じられない。平均透過率が低過ぎる場合には、本来の画像の輝度が低下し過ぎるので、平均透過率を５０〜７０％にするのが適当である。」と記載されている。
　甲第１号証の第３頁右下欄第８行〜第４頁左上欄第１０行には、「第５図に示した透過型スクリーンは、投写器側から順に、フレネルレンズ板２１、レンティキュラ板２２、透光性板２３と配置されたものである。フレネルレンズ板２１は観察者側にフレネルレンズ２４が形成され、レンティキュラ板２２は投写器側にレンティキュラレンズ板２５が形成されている。レンティキュラ板２２は内部に光拡散剤を混入したものである。透光性板２３は第１図に示したものと同一であり、観察者側面２９は光沢面となっている。レンティキュラ板２２と透光性板２３の対向する面２６，２７はともに平面で、両者が透明接着剤２８で結合されている。こうすると、レンティキュラ板２２が薄く機械的強度が弱い場合には、透光性板２３がレンティキュラ板２２の変形を抑制することができる。第５図に示した透過型スクリーンも第１図に示した透過型スクリーンと同様の作用により、コントラストの良好な画像が得られる。
　第５図に示した構成で、レンティキュラ板２３の観察者側の面２６の光が通過しない部分に光吸収物質を塗着すれば、この光吸収物質が外光を吸収し反射光を減少させるので、外光によるコントラスト低下をさらに低減することができる。」と記載されている。
１．２．２　甲第２号証の記載内容
　甲第２号証の特許請求の範囲には、「【請求項１】 画像発生源側から画像観視側へ、フレネルレンズシート，レンチキュラーレンズシート，光吸収シートの順に配列して構成される透過型スクリーンにおいて、
前記フレネルレンズシートは、その光入射面（２１）の形状が、スクリーン画面水平方向を長手方向とする第一のレンチキュラーレンズをスクリーン画面垂直方向に連続して複数配列した形状を成すと共に、その光出射面（２２）の形状がフレネルレンズ形状を成し、前記レンチキュラーレンズシートは、その光入射面（３１）の形状が、スクリーン画面垂直方向を長手方向とする第二のレンチキュラーレンズをスクリーン画面水平方向に連続して複数配列した形状を成すと共に、その光出射面（３２）の形状が、スクリーン画面垂直方向を長手方向とする有限幅の光吸収帯を前記第二のレンチキュラーレンズ相互間の境界部分にほぼ対向してスクリーン画面水平方向に複数配列した形状を成し、前記光吸収シートは、半透明に着色されていると共に、その光入射面（４１）及び光出射面（４２）の形状が共に平面を成すことを特徴とする透過型スクリーン。
【請求項２】 画像発生源側から画像観視側へ、フレネルレンズシート，レンチキュラーレンズシート，光吸収シートの順に配列して構成される透過型スクリーンにおいて、
前記フレネルレンズシートは、その光入射面（２１）の形状が、スクリーン画面水平方向を長手方向とする第一のレンチキュラーレンズをスクリーン画面垂直方向に連続して複数配列した形状を成すと共に、その光出射面（２２）の形状がフレネルレンズ形状を成し、前記レンチキュラーレンズシートは、その光入射面（３１）の形状が、スクリーン画面垂直方向を長手方向とする第二のレンチキュラーレンズをスクリーン画面水平方向に連続して複数配列した形状を成すと共に、その光出射面（３２）の形状が、スクリーン画面垂直方向を長手方向とする第三のレンチキュラーレンズを前記第二のレンチキュラーレンズにほぼ対向してスクリーン画面水平方向に複数配列し、かつ、スクリーン画面垂直方向を長手方向とする有限幅の光吸収帯を前記第三のレンチキュラーレンズ相互間の境界部分にそれぞれ設けた形状を成し、前記光吸収シートは、半透明に着色されていると共に、その光入射面（４１）及び光出射面（４２）の形状が共に平面を成すことを特徴とする透過型スクリーン。
【請求項３】 請求項１または２に記載の透過型スクリーンにおいて、前記レンチキュラーレンズシートと前記光吸収シートのうち、少なくとも一方は光拡散材を有し、スクリーン画面垂直方向の光拡散は、主として前記第一のレンチキュラーレンズにより行うと共に、補助的に前記光拡散材により行うようにしたことを特徴とする透過型スクリーン。
【請求項４】 画像発生源側から画像観視側へ、フレネルレンズシート，レンチキュラーレンズシート，光吸収シートの順に配列して構成される透過型スクリーンにおいて、
前記フレネルレンズシートは、その光入射面（２１）の形状が、スクリーン画面水平方向を長手方向とする第一のレンチキュラーレンズをスクリーン画面垂直方向に連続して複数配列した形状を成すと共に、その光出射面（２２）の形状がフレネルレンズ形状を成し、前記レンチキュラーレンズシートは、その光入射面（３１）の形状が、スクリーン画面垂直方向を長手方向とする第二のレンチキュラーレンズをスクリーン画面水平方向に連続して複数配列した形状を成すと共に、その光出射面（３２）の形状が、スクリーン画面垂直方向を長手方向とする有限幅の光吸収帯を前記第二のレンチキュラーレンズ相互間の境界部分にほぼ対向してスクリーン画面水平方向に複数配列した形状を成し、前記光吸収シートは、半透明に着色されていると共に、その光入射面（４１）の形状が、スクリーン画面水平方向を長手方向とする第四のレンチキュラーレンズをスクリーン画面垂直方向に連続して複数配列した形状を成し、その光出射面（４２）の形状が平面を成すことを特徴とする透過型スクリーン。
【請求項５】 画像発生源側から画像観視側へ、フレネルレンズシート，レンチキュラーレンズシート，光吸収シートの順に配列して構成される透過型スクリーンにおいて、
前記フレネルレンズシートは、その光入射面（２１）の形状が、スクリーン画面水平方向を長手方向とする第一のレンチキュラーレンズをスクリーン画面垂直方向に連続して複数配列した形状を成すと共に、その光出射面（２２）の形状がフレネルレンズ形状を成し、前記レンチキュラーレンズシートは、その光入射面（３１）の形状が、スクリーン画面垂直方向を長手方向とする第二のレンチキュラーレンズをスクリーン画面水平方向に連続して複数配列した形状を成すと共に、その光出射面（３２）の形状が、スクリーン画面垂直方向を長手方向とする第三のレンチキュラーレンズを前記第二のレンチキュラーレンズにほぼ対向してスクリーン画面水平方向に連続して複数配列し、かつ、スクリーン画面垂直方向を長手方向とする有限幅の光吸収帯を前記第三のレンチキュラーレンズ相互間の境界部分にそれぞれ設けた形状を成し、前記光吸収シートは、半透明に着色されていると共に、その光入射面（４１）の形状が、スクリーン画面水平方向を長手方向とする第四のレンチキュラーレンズをスクリーン画面垂直方向に連続して複数配列した形状を成し、その光出射面（４２）の形状が平面を成すことを特徴とする透過型スクリーン。
【請求項６】 請求項４または５に記載の透過型スクリーンにおいて、前記レンチキュラーレンズシートと前記光吸収シートのうち、少なくとも一方は光拡散材を有し、スクリーン画面垂直方向の光拡散は、主として前記第四のレンチキュラーレンズにより行うと共に、補助的に前記第一のレンチキュラーレンズ及び前記光拡散材により補助的に行うようにしたことを特徴とする透過型スクリーン。
【請求項７】 画像発生源側から画像観視側へ、フレネルレンズシート，レンチキュラーレンズシート，光吸収シートの順に配列して構成される透過型スクリーンにおいて、
前記フレネルレンズシートは、その光入射面（２１）の形状が平面を成すと共に、その光出射面（２２）の形状がフレネルレンズ形状を成し、前記レンチキュラーレンズシートは、その光入射面（３１）の形状が、スクリーン画面垂直方向を長手方向とする第二のレンチキュラーレンズをスクリーン画面水平方向に連続して複数配列した形状を成すと共に、その光出射面（３２）の形状が、スクリーン画面垂直方向を長手方向とする有限幅の光吸収帯を前記第二のレンチキュラーレンズ相互間の境界部分にほぼ対向してスクリーン画面水平方向に複数配列した形状を成し、前記光吸収シートは、半透明に着色されていると共に、その光入射面（４１）の形状が、スクリーン画面水平方向を長手方向とする第四のレンチキュラーレンズをスクリーン画面垂直方向に連続して複数配列した形状を成し、その光出射面（４２）の形状が平面を成すことを特徴とする透過型スクリーン。
【請求項８】 画像発生源側から画像観視側へ、フレネルレンズシート，レンチキュラーレンズシート，光吸収シートの順に配列して構成される透過型スクリーンにおいて、
前記フレネルレンズシートは、その光入射面（２１）の形状が平面を成すと共に、その光出射面（２２）の形状がフレネルレンズ形状を成し、前記レンチキュラーレンズシートは、その光入射面（３１）の形状が、スクリーン画面垂直方向を長手方向とする第二のレンチキュラーレンズをスクリーン画面水平方向に連続して複数配列した形状を成すと共に、その光出射面（３２）の形状が、スクリーン画面垂直方向を長手方向とする第三のレンチキュラーレンズを前記第二のレンチキュラーレンズにほぼ対向してスクリーン画面水平方向に連続して複数配列し、かつ、スクリーン画面垂直方向を長手方向とする有限幅の光吸収帯を第三のレンチキュラーレンズ相互間の境界部分にそれぞれ設けた形状を成し、前記光吸収シートは、半透明に着色されていると共に、その光入射面（４１）の形状が、スクリーン画面水平方向を長手方向とする第四のレンチキュラーレンズをスクリーン画面垂直方向に連続して複数配列した形状を成し、その光出射面（４２）の形状が平面を成すことを特徴とする透過型スクリーン。
【請求項９】 請求項７または８に記載の透過型スクリーンにおいて、前記レンチキュラーレンズシートと前記光吸収シートのうち、少なくとも一方は光拡散材を有し、スクリーン画面垂直方向の光拡散は、主として前記第四のレンチキュラーレンズにより行うと共に、補助的に前記光拡散材により行う構成としたことを特徴とする透過型スクリーン。
【請求項１０】 請求項１，２，３，４，５，６，７，８または９に記載の透過型スクリーンにおいて、前記フレネルレンズシート，前記レンチキュラーレンズシート及び前記光吸収シートのうち、前記光吸収シートのシート厚さが最も厚いことを特徴とする透過型スクリーン。
【請求項１１】 請求項１，２，３，４，５，６，７，８，９または１０に記載の透過型スクリーンにおいて、前記光吸収シートは、その光出射面（４２）に、防眩処理，帯電防止処理及び表面硬化処理のうち、少なくとも一つの表面処理がなされていることを特徴とする透過型スクリーン。
【請求項１２】 請求項１，２，３，４，５，６，７，８，９，１０または１１に記載の透過型スクリーンを用いたことを特徴とする背面投写型画像ディスプレイ装置。」と記載されている。
　甲第２号証の【００１４】段落には、「【００１４】また、照明光などの外光は、半分程度がレンチキュラーレンズシート３の光出射面３２に設けられた前記の光吸収帯６により吸収されるが、光出射面３２の第三のレンチキュラーレンズに入射した外光は、投写画像光と同様に、光拡散材により散乱される。」と記載されている。
　甲第２号証の【００６７】段落には、「【００６７】本実施例においては、レンチキュラーレンズシート３の光出射面３２に第三のレンチキュラーレンズとして、光入射面３１の第二のレンチキュラーレンズの楕円柱面とほぼ同等の形状のレンチキュラーレンズを設ける構成としたが、この第三のレンチキュラーレンズは必ずしも楕円柱面である必要はなく、たとえば単純な円柱面であっても、同等の効果が得られる。また、レンチキュラーレンズシート３の光出射面３２が単に平面で、前述の光吸収帯６のみが設けられている構成としてもよい。この場合、光出射面３２に第三のレンチキュラーレンズを設ける場合と比較すると、画像のカラーシフトはやや大きくなるが、そのほかの性能については同等の効果が得られる。」と記載されている。
１．２．３　甲第３号証の記載内容
　甲第３号証の実用新案登録請求の範囲には、「フレネルレンズを透過した像光によってレンチキュラーレンズ上に形成される画像を上記フレネルレンズ側とは逆側より観察するようにした透過型スクリーンにおいて、
　上記レンチキュラーレンズの上記観察側に上記観察側が鏡面とされた半透明板を配することを特徴とする透過型スクリーン。」と記載されている。
　第７頁第１〜５行には、レンチキュラーレンズが水平方向へ光を拡散するレンチキュラーレンズを光入射面側に備えていても良い旨記載されている。
　第７頁第１０〜１３行には、レンチキュラーレンズの観察側にブラックストライプを設けていても良い旨記載されている。
　第５頁第１１〜１５行には、黒く着色された半透明板が配される旨記載されている。
　第６頁第１５〜１９行には、半透明板の入射面に垂直方向の拡散に寄与するようなレンチキュラーレンズが設けられて良い旨記載されている。
　第６頁第１５〜１９行には、半透明板の入射面に垂直方向の拡散に寄与するようなシボが付けられても良い旨記載されている。
１．２．４　甲第４号証の記載内容
　甲第４号証の【００２３】及び【００２４】段落には、「【００２３】【実施例】以下、本発明の実施例を図面を用いて説明する。図１は本発明の第１の実施例としての透過型スクリーンを示す斜視図である。同図において、１は透過型スクリーン、２はフレネルレンズシート、４はマイクロレンズシートである。フレネルレンズシート２とマイクロレンズシート４はそれぞれ端部(図示せず)で相互に固定されている。２０、４０はそれぞれフレネルレンズシート２とマイクロレンズシート４の基材であり、いずれもほぼ透明な材料よりなる。尚、本実施例においては、フレネルレンズシート２，マイクロレンズシート４のいずれの基材２０，４０にも光拡散材は用いていない。
【００２４】２１はフレネルレンズシート２の入射面であり、本実施例では平面である。２２はフレネルレンズシート２の映像光の出射面であり、凸のフレネルレンズになっている。また、４１はマイクロレンズシート４の入射面であり、マイクロレンズ素子を画面水平方向及び画面垂直方向に連続的に並べた形状となっている。４２はマイクロレンズシート４の出射面であり、入射面４１のマイクロレンズ素子にほぼ対向して、マイクロレンズ素子が配列されるとともに、互いに隣り合うマイクロレンズ素子の境界部分には、凸形突起部４３が形成され、その上に光吸収層６が設けられている。」と記載されている。
１．２．５　甲第５号証の記載内容
　甲第５号証の特許請求の範囲には、光透過性箔が平らな支持シート上に添設され、該箔の背部にはアナモルフオティックレンズ構造物が設けられている点およびフレネルレンズを前記レンズ構造物と影像源との間に配設する旨記載されている。
　第３頁右上欄７〜１１行には、フレネルレンズがフレネル凸レンズを有する旨記載されている。
　第２頁右上欄１０〜１３行及び第４頁左下欄１６行〜右上欄１行には、アナモルフオテイックレンズ素子とは、互いに直交する２方向において異なる曲率半径を有するレンズ素子であって、この映写スクリーンはかかるレンズ素子の二次元マトリックスであり、支持シートの背面は所望の光分散を与える構造を具えており、その構造は薄い箔を含んでいてレンズ素子の所望の焦点距離および製造工程での応力で決められ旨記載されている。
　第４頁右下欄１８〜２０行には、アナモルフオテイックレンズが設けられる箔は、例えば、紫外線効果物質のようなものより成る薄い光重合性コーティングによって支持シートに添着される旨記載されている。
　第４頁右下欄１６〜１７行には、吸光層の比率が、表面積の７５％とする例がある旨記載されている。
１．２．６　甲第６号証の記載内容
　甲第６号証の【００２４】段落には、「【００２４】【発明の効果】本発明の放射線硬化性樹脂組成物は、硬化性に優れ、また得られた硬化物は密着性、耐溶剤性等に優れており、コーティング剤、塗料、接着剤等として有用である。」と記載されている。
１．２．７　甲第７号証の記載内容
　甲第７号証の【００１１】段落には、「【０００１】【産業上の利用分野】本発明は、各種プラスチックの保護、美粧および接着を目的として用いられるバインダー樹脂組成物に関し、更に詳しくは、ポリオレフィン系樹脂、ポリウレタン系樹脂、ポリアミド系樹脂、アクリル系樹脂、ポリエステル系樹脂、各種合成樹脂のフィルム、シートまたは成形物に対し優れた諸物性を示す塗料、印刷インキ、あるいは接着剤用のバインダー樹脂組成物に関する。」と記載されている。
１．２．８　甲第８号証の記載内容
　主なポリマーの屈折率が１．３〜１．７の範囲内であり、ポリマーと空気との界面での反射率はポリマーの屈折率が低い方が小さい旨記載されている。
１．３　異議申立人株式会社ディスクが提出した甲第１〜９号証の記載内容
１．３．１　甲第１号証の記載内容
　異議申立人株式会社クラレが提出した甲第２号証に同じ。
１．３．２　甲第２号証の記載内容
　甲第２号証の【００１２】〜【００１５】段落には、「【００１２】　【実施例】
　以下、本発明の実施例について図面を参照しながら説明する。
【００１３】　本発明による第一の実施例の投写型テレビジョン装置は、図１の曲線２８に示すごとく、４９０ｎｍ以下の波長帯の透過率を高く、４９０ｎｍ〜６６０ｎｍの波長帯の透過率を低くする選択波長性スモークシートを用いてなるものである。すなわち、一様な透過率のスモークシート９に代え、染料や顔料を所定に混合することにより波長選択性を持たせたスモークシート３７を用いて図３の３枚構成透過形スクリーン３６を構成し、赤、緑のＣＲＴビーム電流を増加させるようにしたものである。
【００１４】
　ところで投写型テレビジョン装置において、青色、緑色、赤色ＣＲＴのパネル部に形成されるカラー蛍光体の透過率特性は、一般に図１に示される。青色ＣＲＴは発光スペクトラム２９を有しメインピークは波長４５０ｎｍ付近にある。緑色ＣＲＴは発光スペクトラム３０を有しメインピークは波長５５０ｎｍ付近にある。赤色ＣＲＴは発光スペクトラム３１を有しメインピークは波長６１０ｎｍ付近にある。
【００１５】
　図３に示す本発明の選択波長スモークシート３７は図１の２８で示す選択波長透過率を有する。すなわち青色ＣＲＴの発光スペクトラム２９に対する透過率は８０％を越えているが、緑色ＣＲＴ３０・赤色ＣＲＴ３１の発光スペクトラム領域に対しては６０〜６５％となり、平均透過率に換算すれば７０％近辺の透過率となる。本発明の選択波長スモークシート３７と従来の一様な波長透過率を有するスモークシート２７とを比較して述べる。」と記載されている。
１．３．３　甲第３号証の記載内容
　異議申立人株式会社クラレが提出した甲第１号証に同じ。
１．３．４　甲第４号証の記載内容
　甲４号証の第３頁右上欄第４行〜第４頁右下欄第４行に、レンチキュラーレンズシート１の映像光出射面に設けられた光吸収帯４則面保護シート６とを貼り合わせることによって、１枚の前面シートを形成した透過型スクリーン、前面保護シート６とレンチキュラーレンズシート１とを貼り合わせる接着剤が光を吸収する材質のものであること、及び、その接着剤は、アクリル系樹脂からなる旨記載されている。
１．３．５　甲第５号証の記載内容
　甲５号証の第２頁左欄段落【０００２】〜【００３８】段落には、フレネルレンズシート１、６１とレンチキュラーレンズシート２と前面シート３とを有し、映像発生源側から入射する映像光線１１ａ、ｌ１ｂを透して映像観視側に出射する透過型スクリーンであって、フレネルレンズシート１、６１の１つ面にはフレネル凸レンズ４、６４が形成され、レンチキュラーレンズシート２は、映像光入射面がスクリーン画面の車直方向を長手方向とする縦長レンチキュラーレンズ５をスクリーン画面の水平方向に連続して複数配列した形状をなして、レンチキュラーレンズの焦点位置がその映像光出射面とほぼ同じとなるようにし、映像光出射面の映像光線が通過しない領域に光吸収帯７が設けられ、前面保護シート３の映像光出射面は平面であり、前面保護シート３の映像光入射面が拡散面１４となっており、前面保護シート３は透明である透過型スクリーンである旨記載されている。また、フレネルレンズシート１、６１、レンチキュラーレンズシート２、前面保護シート３の各々の表面に反射防止膜１５を設け、その反射防止膜１５は、フッ素樹脂の溶液を、スクリーン面にディッピング法により塗布して成膜する旨記載されている。
１．３．６　甲第６号証の記載内容
　異議申立人株式会社クラレが提出した甲第５号証に同じ。
１．３．７　甲第７号証の記載内容
　異議申立人株式会社クラレが提出した甲第４号証に同じ。
１．３．８　甲第８号証の記載内容
　甲第８号証の第２頁右欄段落【０００４】〜【０００８】段落には、フレネルレンズシート１とレンチキュラーレンズシート２と前面保護シート６とを有し、映像発生源側から入射する映像光線を透過して映像観視側に出射する透過型スクリーンにおいて、前面保護シート６の両面に反射防止膜７を設けること、その反射防止膜７は、フッ素樹脂の溶液を、スクリーン面にディッピング法により塗布して成膜する旨記載されている。
１．３．９　甲第９号証の記載内容
　甲第９号証の第３頁右下欄第１４〜１８行、第４頁右上欄第７行〜左下欄第１１行、第５頁左上欄第９行〜右上欄第４行（実施例１）、第５頁右上欄第１０〜１８行（実施例３）には、フッ素樹脂をパーフルオロ溶剤に溶かして得られる所望の濃度の溶液を、対象面にディッピング法等により塗布して成膜して反射防止膜を製造する旨記載されている。
２．訂正の内容について
　本件訂正請求は、本件特許第３２７０２６１　号の願書に添付された明細書を、本件訂正請求書に添付した訂正明細書のとおりに、訂正しようとするものである。
２．１　訂正事項
訂正事項ａ
　特許明細書の請求項１を、「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、前記映像光出射面の前記映像光線が通過する領域を平面形状とし、
　前記前面保護シートの映像光入射面及び映像光出射面は平面であり、かつ前記前面保護シートのＤ線（波長５８９．３ｎｍの光）に対する透過率Ｔが、
０．４≦Ｔ＜１．０
なる条件を満たし、
　前記レンチキュラーレンズシートの前記映像光出射面に設けられた前記光吸収帯と前面保護シートとを接着剤を用いて貼り合わせることによって、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」と訂正する。
訂正事項ｂ　
　特許明細書の請求項３を「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の水平方向を長手方向とするレンチキュラーレンズを複数個、スクリーン画面の垂直方向に連続して配置した形状であり、かつ前記前面保護シートのＤ線（波長５８９．３ｎｍの光）に対する透過率Ｔが、
０．４≦Ｔ＜１．０
なる条件を満たし、前記レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」と訂正する。
訂正事項ｃ
特許明細書の請求項４を「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の垂直方向を長手方向とするレンチキュラーレンズを複数個、スクリーン画面の水平方向に連続して配置した形状であり、かつ前記前面保護シートのＤ線（波長５８９．３ｎｍの光）に対する透過率Ｔが、
０．４≦Ｔ＜１．０
なる条件を満たし、
　前記レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」と訂正する。
訂正事項ｄ　
　特許明細書の請求項５を「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、擦りガラス状に微細な凸凹を持つ形状をなし、かつ前記前面保護シートのＤ線（波長５８９．３ｎｍの光）に対する透過率Ｔが、
０．４≦Ｔ＜１．０
なる条件を満たし、
　前記レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」と訂正する。
訂正事項ｅ
　特許明細書の請求項１３を「フレネルレンズシートとフライアイレンズシートと前面保護シートとを含み、映像発生源側から入射する映像光線を透過して映像観視側に出射する透過型スクリーンにおいて、前記フレネルレンズシートの少なくとも１つの面にフレネル凸レンズが形成されており、前記フライアイレンズシートは、映像光入射面がマイクロレンズ素子をスクリーン画面の水平及び垂直方向に連続して並べた形状をなして、前記マイクロレンズ素子の焦点位置がその映像光出射面とほぼ同じとなるようにし、前記映像光出射面の前記映像光線が通過しない領域に光吸収帯が設けられ、前記前面保護シートの映像光入射面及び映像光出射面が平面であり、かつ前記前面保護シートのＤ線（波長５８９．３ｎｍの光）に対する透過率Ｔが、
０．４≦Ｔ＜１．０
なる条件を満たし、
　かつ前記フライアイレンズシートと前面保護シートとが前記フライアイレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」と訂正する。
訂正事項ｆ
　特許明細書【００５９】段落の「全面シート１の映像光入射面６」を、「保護シート２の映像光入射面６」と訂正する。
２．２　訂正後の請求項１〜３２に係る発明
請求項１
「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、前記映像光出射面の前記映像光線が通過する領域を平面形状とし、
　前記前面保護シートの映像光入射面及び映像光出射面は平面であり、かつ前記前面保護シートのＤ線（波長５８９．３ｎｍの光）に対する透過率Ｔが、
０．４≦Ｔ＜１．０
なる条件を満たし、
　前記レンチキュラーレンズシートの前記映像光出射面に設けられた前記光吸収帯と前面保護シートとを接着剤を用いて貼り合わせることによって、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」
請求項２
「請求項１において、
　前記光吸収帯の面積Ｓ１がスクリーンの全面積Ｓ０に対して、
０．４≦Ｓ１／Ｓ０≦０．８
なる条件を満たすことを特徴とする透過型スクリーン。」
請求項３
「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の水平方向を長手方向とするレンチキュラーレンズを複数個、スクリーン画面の垂直方向に連続して配置した形状であり、かつ前記前面保護シートのＤ線（波長５８９．３ｎｍの光）に対する透過率Ｔが、
０．４≦Ｔ＜１．０
なる条件を満たし、前記レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」
請求項４
「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の垂直方向を長手方向とするレンチキュラーレンズを複数個、スクリーン画面の水平方向に連続して配置した形状であり、かつ前記前面保護シートのＤ線（波長５８９．３ｎｍの光）に対する透過率Ｔが、
０．４≦Ｔ＜１．０
なる条件を満たし、
　前記レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」
請求項５
「フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、擦りガラス状に微細な凸凹を持つ形状をなし、かつ前記前面保護シートのＤ線（波長５８９．３ｎｍの光）に対する透過率Ｔが、
０．４≦Ｔ＜１．０
なる条件を満たし、
　前記レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」
請求項６
「請求項１〜５のいずれか１つにおいて、　前記前面保護シートと前記レンチキュラーレンズシートとの貼り合わせる接着剤は、光を吸収する材質のものであることを特徴とする透過型スクリーン。」
請求項７
「請求項６において、
　前記接着剤は、Ｄ線（波長５８９．３ｎｍの光）に対する屈折率Ｎが
１．３≦Ｎ≦１．７
なる条件を満たす材質のものであることを特徴とする透過型スクリーン。」
請求項８
「前記レンチキュラーレンズシートの前記映像光出射面の形状を形成しながら、前記前面保護シートと前記レンチキュラーレンズシートとを熱可塑性の材質の接着剤で貼り合わせて熱圧着し、前記前面シートを形成することを特徴とする請求項６に記載の透過型スクリーンの製造方法。」
請求項９
「請求項８において、前記接着剤は、Ｄ線（波長５８９．３ｎｍの光）に対する屈折率Ｎが
１．３≦Ｎ≦≦１．７
なる条件を満たす材質のものであることを特徴とする透過型スクリーンの製造方法。」
請求項１０
「前記レンチキュラーレンズシートの前記映像光出射面の形状を形成しながら、前記前面保護シートと前記レンチキュラーレンズシートとを紫外線もしくは可視光線もしくは電磁波を照射されることによって硬化する材質の接着剤で貼り合わせ、前記紫外線もしくは可視光線もしくは電磁波を前面保護シート側から照射して前記接着剤を硬化し、前記前面シートを形成することを特徴とする請求項６または７に記載の透過型スクリーンの製造方法。」
請求項１１
「請求項８〜１０のいずれか１つにおいて、前記前面保護シートにロール状に変形可能な材質を用いたことを特徴とする透過型スクリーンの製造方法。」
請求項１２
「請求項８〜１１のいずれか１つにおいて、
　前記前面保護シートと前記レンチキュラーレンズシートとの貼り合わせ工程で、前記レンチキュラーレンズの光吸収帯に接着剤を塗布したことを特徴とする透過型スクリーンの製造方法。」
請求項１３
「フレネルレンズシートとフライアイレンズシートと前面保護シートとを含み、映像発生源側から入射する映像光線を透過して映像観視側に出射する透過型スクリーンにおいて、前記フレネルレンズシートの少なくとも１つの面にフレネル凸レンズが形成されており、前記フライアイレンズシートは、映像光入射面がマイクロレンズ素子をスクリーン画面の水平及び垂直方向に連続して並べた形状をなして．前記マイクロレンズ素子の焦点位置がその映像光出射面とほぼ同じとなるようにし、前記映像光出射面の前記映像光線が通過しない領域に光吸収帯が設けられ、前記前面保護シートの映像光入射面及び映像光出射面が平面であり、かつ前記前面保護シートのＤ線（波長５８９．３ｎｍの光）に対する透過率Ｔが、
０．４≦Ｔ＜１．０
なる条件を満たし、
　かつ前記フライアイレンズシートと前面保護シートとが前記フライアイレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」
請求項１４
「請求項１３において、
　前記フライアイレンズシートの前記映像光出射面が、前記フライアイレンズシートの前記映像光入射面でのマイクロレンズ素子にほぼ対向してマイクロレンズ素子を、有限幅の光吸収帯を介して、スクリーン画面の水平及び垂直方向に連続して並べた形状をなしていることを特徴とする透過型スクリーン。」
請求項１５
「請求項１３において、前記フライアイレンズシートの前記映像光出射面が平面であることを特徴とする透過型スクリーン。」
請求項１６
「請求項１３，１４または１５において、前記光吸収帯の面積Ｓ１がスクリーンの全面積Ｓ０に対して
０．４≦Ｓ１／Ｓ０≦０．８
なる条件を満たすことを特徴とする透過型スクリーン。」
請求項１７
「請求項１３において、
　前記フレネルレンズシートの映像光出射面をフレネル凸レンズとしたことを特徴とする透過型スクリーン。」
請求項１８
「請求項１７において、
　前記フレネルレンズシートの映像光入射面が、スクリーン画面の水平方向を長手方向とするレンチキュラーレンズを複数個、スクリーン画面の垂直方向に連続的に配置した形状としたことを特徴とする透過型スクリーン。」
請求項１９
「請求項１３において、
　前記前面保護シートの映像光入射面が、スクリーン画面の水平方向を長手方向とするレンチキュラーレンズを複数個、スクリーン画面垂直方向に連続して配置した形状をなすことを特徴とする透過型スクリーン。」
請求項２０
「請求項１３において、
　前記前面保護シートの映像光入射面が、スクリーン画面の垂直方向を長手方向とするレンチキュラーレンズを複数個、スクリーン画面の水平方向に連続して配置した形状をなすことを特徴とする透過型スクリーン。」
請求項２１
「請求項１３において、
　前記前面保護シートの映像光入射面が、擦りガラス状に微細な凸凹を持つ形状をなすことを特徴とする透過型スクリーン。」
請求項２２
「請求項１３において、
　前記前面保護シートと前記フライアイレンズシートとを貼り合わせる接着剤は光を吸収する材質のものであることを特徴とする透過型スクリ−ン。」
請求項２３
「請求項２２において、前記接着剤は、Ｄ線（波長５８９．３ｎｍの光）に対する屈折率Ｎが、
１．３≦Ｎ≦１．７
なる条件を満たす材質のものであることを特徴とする透過型スクリーン。」
請求項２４
「前記フライアイレンズシートの前記映像光出射面の形状を形成しながら、前記前面保護シートと前記フライアイレンズシートとを熱可塑性の材質の接着剤で貼り合わせて熱圧着し、前記前面シートを形成することを特徴とする請求項２２に記載の透過型スクリーンの製造方法。」
請求項２５
「請求項２４において、前記接着剤は、Ｄ線（波長５８９．３ｎｍの光）に対する屈折率Ｎが、
１．３≦Ｎ≦１．７
なる条件を満たす材質のものであることを特徴とする透過型スクリーンの製造方法。」
請求項２６
「前記フライアイレンズシートの前記映像光出射面の形状を形成しながら、前記前面保護シートと前記フライアイレンズシートとを紫外線もしくは可視光線もしくは電磁波を照射されることによって硬化する材質の接着剤で貼り合わせ、前記前面保護シート側から紫外線もしくは可視光線もしくは電磁波を照射して前記接着剤を硬化し、前記前面シートを形成することを特徴とする請求項２２または２３に記載の透過型スクリーンの製造方法。」
請求項２７
「請求項２４〜２６のいずれか１つにおいて、前記前面保護シートとしてロール状に変形可能な材質を用いたことを特徴とする透過型スクリーンの製造方法。」
請求項２８
「請求項２４〜２７のいずれか１つにおいて、
　前記前面保護シートと前記フライアイレンズシートの貼り合わせ製造工程で、前記フライアイレンズの前記映像光出射面での光吸収帯に接着剤を塗布したことを特徴とする透過型スクリーンの製造方法。」
請求項２９
「請求項１〜７のいずれか１つにおいて、　フレネルレンズシートとレンチキュラーレンズシートと前面保護シートの少なくとも１つ面に反射防止膜を設けたことを特徴とする透過型スクリーン。」
請求項３０
「請求項１３〜２３のいずれか１つにおいて、
　フレネルレンズシートとフライアイレンズシートと前面保護シートの少なくとも１つ面に反射防止膜を設けたことを特徴とする透過型スクリーン。」
請求項３１
「前記反射防止膜は、非晶質のフッ素樹脂をパーフルオロ溶剤に溶かして得られる所望の濃度の溶液を、スクリーン面にスピン法またはディッピング法により塗布して成膜されることを特徴とする請求項２９または３０に記載の透過型スクリーンの製造方法。」
請求項３２
「映像発生源の前方に投写レンズを配し、該投写レンズの前方の結像面に請求項１〜７，１３〜２３，２９，３０のいずれか１つに記載の透過型スクリーンを配して構成されることを特徴とする背面投写型画像ディスプレイ装置。」
３．　訂正の適否
訂正事項ａについて
　訂正事項ａは、請求項１における、「前面保護シートの少なくとも映像光出射面は平面であり」を、下位概念である「前面保護シートの映像光入射面及び映像光出射面は平面であり」と訂正し、「前記光吸収帯と前面保護シートとを貼り合わせることによって、１枚の前面シートを形成している」を、下位概念である「前記光吸収帯と前面保護シートとを接着剤とを用いて貼り合わせることによって、１枚の前面シートを形成し、前記接着剤は、該接着剤によって貼り付けられた前記前面保護シートと前記光吸収帯との接着面における光反射率が、前記前面保護シートの空気界面における光反射率の１／１００以下となるような屈折率を有する」と訂正するものであるから、特許請求の範囲の減縮にあたる。
　また、上記訂正事項ａは、特許明細書の【００５１】、【００５４】及び【００６１】段落に記載されていることから、導き出されるものである。
　そして、上記訂正事項ａは、実質上特許請求の範囲を拡張し又は変更するものでもない。
訂正事項ｂについて
　訂正事項ｂは、請求項３において、「前記レンチキュラーレンズシートと前面保護シートとが前記レンチキュラーレンズシートの前記映像光出射面での光吸収帯で貼り合わされて、１枚の前面シートを形成している」を、下位概念である「前記レンチキュラーレンズシートと前面保護シートとが前記レンチキュラーレンズシートの前記映像光出射面での光吸収帯で、接着剤を用いて貼り合わされて、１枚の前面シートを形成し、前記接着剤は、該接着剤によって貼り付けられた前記前面保護シートと前記光吸収帯との接着面における光反射率が、前記前面保護シートの空気界面における光反射率の１／１００以下となるような屈折率を有する」と訂正するものであるから、特許請求の範囲の減縮にあたる。
　また、上記訂正事項ｂは、特許明細書の【００５４】及び【００６１】段落に記載されていることから、導き出されるものである。
　そして、上記訂正事項ｂは、実質上特許請求の範囲を拡張し又は変更するものでもない。
訂正事項ｃについて
　訂正事項ｃは、請求項４において、「前記レンチキュラーレンズシートと前面保護シートとが前記レンチキュラーレンズシートの前記映像光出射面での光吸収帯で貼り合わされて、１枚の前面シートを形成している」を、下位概念である「前記レンチキュラーレンズシートと前面保護シートとが前記レンチキュラーレンズシートの前記映像光出射面での光吸収帯で、接着剤を用いて貼り合わされて、１枚の前面シートを形成し、前記接着剤は、該接着剤によって貼り付けられた前記前面保護シートと前記光吸収帯との接着面における光反射率が、前記前面保護シートの空気界面における光反射率の１／１００以下となるような屈折率を有する」と訂正するものであるから、特許請求の範囲の減縮にあたる。
　また、上記訂正事項ｃは、特許明細書の【００５４】及び【００６１】段落に記載されていることから、導き出されるものである。
　そして、上記訂正事項ｃは、実質上特許請求の範囲を拡張し又は変更するものでもない。
訂正事項ｄについて
　訂正事項ｄは、請求項５において、「前記レンチキュラーレンズシートと前面保護シートとが前記レンチキュラーレンズシートの前記映像光出射面での光吸収帯で貼り合わされて、１枚の前面シートを形成している」を、下位概念である「前記レンチキュラーレンズシートと前面保護シートとが前記レンチキュラーレンズシートの前記映像光出射面での光吸収帯で、接着剤を用いて貼り合わされて、１枚の前面シートを形成し、前記接着剤は、該接着剤によって貼り付けられた前記前面保護シートと前記光吸収帯との接着面における光反射率が、前記前面保護シートの空気界面における光反射率の１／１００以下となるような屈折率を有する」と訂正するものであるから、特許請求の範囲の減縮にあたる。
　また、上記訂正事項ｄは、特許明細書の【００５４】及び【００６１】段落に記載されていることから、導き出されるものである。
　そして、上記訂正事項ｄは、実質上特許請求の範囲を拡張し又は変更するものでもない。
訂正事項ｅについて
　訂正事項ｅは、請求項１３において、「前面保護シートの少なくとも映像光出射面は平面であり」を、下位概念である「前面保護シートの映像光入射面及び映像光出射面は平面であり」と訂正し、「前記光吸収帯と前面保護シートとを貼り合わせることによって、１枚の前面シートを形成している」を、下位概念である「前記光吸収帯と前面保護シートとを接着剤とを用いて貼り合わせることによって、１枚の前面シートを形成し、前記接着剤は、該接着剤によって貼り付けられた前記前面保護シートと前記光吸収帯との接着面における光反射率が、前記前面保護シートの空気界面における光反射率の１／１００以下となるような屈折率を有する」と訂正するものであるから、特許請求の範囲の減縮にあたる。
　また、上記訂正事項ｅは、特許明細書の【００５１】、【００５４】及び【００６１】段落に記載されていることから、導き出されるものである。
　そして、上記訂正事項ｅは、実質上特許請求の範囲を拡張し又は変更するものでもない。
訂正事項ｆについて
　訂正事項ｆは、特許明細書【００５９】段落の「前面シート１の映像光入射面６」を、「前面保保護シート２の映像光入射面６」と訂正するものであり、誤記訂正にあたる。
　当該記載個所の「映像光入射面６」は、図３から明らかなように、前保護シート２の光入射面であり、かつ参照符号１は、レンチキュラーレンシートを指すものである。従って、当該記載個所の「前面シート１」は「前保護シート２」の誤記であることは明らかであるから、訂正事項ｆは、当初明細書等に記載した事項の範囲内のものであり、実質上特許請求の範囲を拡張し又は変更するものでもない。
　従って、上記訂正事項ａ〜ｆは、平成６年法律第１１６号附則第６条第１項の規定によりなお従前の例によるとされる、改正前の特許法第１２６条第１項ただし書及び同条第２項の規定に適合する。
　従って、当該請求を認める。
３．特許異議申立てについての判断
３．１　異議申立てに係る本件特許の請求項１〜３２に係る発明
　上記２．２に記載のとおり。
３．２　異議申立ての理由の概要
　上記１．１に記載のとおり。
３．３　異議申し立てに係る本件請求項１及び２に係る発明と甲各号証との対比、判断
　本件請求項１に係る発明が、「レンチキュラーレンズシートの前記映像光出射面に設けられた前記光吸収帯と前面保護シートとを接着剤を用いて貼り合わせることによって、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有する」構成（以下、「本件請求項１の特徴的構成」という。）を有するのに対し、上記株式会社クラレが提出した甲第１〜８号証及び株式会社ディスクが提出した甲第１〜９号証には、いずれも上記本件請求項１の特徴的構成の記載又はその記載の示唆がなく、上記本件請求項１に係る発明は、当該本件請求項１の特徴的構成を有することにより、「【００４６】さらに、本発明による透過型スクリーンでは、前面保護シートとレンチキュラーレンズシートまたはフライアイレンズシートとを接着する接着剤の屈折率を上記のように設定しているので、この接着剤と前面保護シートとの屈折率とが非常に近いものとなり、このため、前面保護シートとレンチキュラーレンズシートまたはフライアイレンズシートとの接着面での反射率が非常に小さいものとなる。従って、この接着面での外光の反射光の強度を充分低減できる。」（特許明細書【００４６】段落）という、上記株式会社クラレが提出した甲第１〜８号証及び株式会社ディスクが提出した甲第１〜９号証にはない効果を有する。
　従って、本件請求項１に係る発明は、上記上記株式会社クラレが提出した甲第１〜８号証及び株式会社ディスクが提出した甲第１〜９号証に基づいて容易に発明できたものではない。
　本件請求項３に係る発明が、「レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有する」構成（以下、「本件請求項３の特徴的構成」という。）を有するのに対し、上記株式会社クラレが提出した甲第１〜８号証及び株式会社ディスクが提出した甲第１〜９号証には、いずれも上記本件請求項３の特徴的構成の記載又はその記載の示唆がなく、上記本件請求項３に係る発明は、当該本件請求項１の特徴的構成を有することにより、「【００４６】さらに、本発明による透過型スクリーンでは、前面保護シートとレンチキュラーレンズシートまたはフライアイレンズシートとを接着する接着剤の屈折率を上記のように設定しているので、この接着剤と前面保護シートとの屈折率とが非常に近いものとなり、このため、前面保護シートとレンチキュラーレンズシートまたはフライアイレンズシートとの接着面での反射率が非常に小さいものとなる。従って、この接着面での外光の反射光の強度を充分低減できる。」（特許明細書【００４６】段落）という、上記株式会社クラレが提出した甲第１〜８号証及び株式会社ディスクが提出した甲第１〜９号証にはない効果を有する。
　従って、本件請求項３に係る発明は、上記上記株式会社クラレが提出した甲第１〜８号証及び株式会社ディスクが提出した甲第１〜９号証に基づいて容易に発明できたものではない。
　本件請求項４に係る発明が、「レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有する」構成（以下、「本件請求項４の特徴的構成」という。）を有するのに対し、上記株式会社クラレが提出した甲第１〜８号証及び株式会社ディスクが提出した甲第１〜９号証には、いずれも上記本件請求項４の特徴的構成の記載又はその記載の示唆がなく、上記本件請求項４に係る発明は、当該本件請求項１の特徴的構成を有することにより、「【００４６】さらに、本発明による透過型スクリーンでは、前面保護シートとレンチキュラーレンズシートまたはフライアイレンズシートとを接着する接着剤の屈折率を上記のように設定しているので、この接着剤と前面保護シートとの屈折率とが非常に近いものとなり、このため、前面保護シートとレンチキュラーレンズシートまたはフライアイレンズシートとの接着面での反射率が非常に小さいものとなる。従って、この接着面での外光の反射光の強度を充分低減できる。」（特許明細書【００４６】段落）という、上記株式会社クラレが提出した甲第１〜８号証及び株式会社ディスクが提出した甲第１〜９号証にはない効果を有する。
　従って、本件請求項４に係る発明は、上記上記株式会社クラレが提出した甲第１〜８号証及び株式会社ディスクが提出した甲第１〜９号証に基づいて容易に発明できたものではない。
　本件請求項５に係る発明が、「レンチキュラーレンズシートと前面保護シートとが前記レンチキュラーレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有する」構成（以下、「本件請求項５の特徴的構成」という。）を有するのに対し、上記株式会社クラレが提出した甲第１〜８号証及び株式会社ディスクが提出した甲第１〜９号証には、いずれも上記本件請求項５の特徴的構成の記載又はその記載の示唆がなく、上記本件請求項５に係る発明は、当該本件請求項１の特徴的構成を有することにより、「【００４６】さらに、本発明による透過型スクリーンでは、前面保護シートとレンチキュラーレンズシートまたはフライアイレンズシートとを接着する接着剤の屈折率を上記のように設定しているので、この接着剤と前面保護シートとの屈折率とが非常に近いものとなり、このため、前面保護シートとレンチキュラーレンズシートまたはフライアイレンズシートとの接着面での反射率が非常に小さいものとなる。従って、この接着面での外光の反射光の強度を充分低減できる。」（特許明細書【００４６】段落）という、上記株式会社クラレが提出した甲第１〜８号証及び株式会社ディスクが提出した甲第１〜９号証にはない効果を有する。
　従って、本件請求項５に係る発明は、上記上記株式会社クラレが提出した甲第１〜８号証及び株式会社ディスクが提出した甲第１〜９号証に基づいて容易に発明できたものではない。
　本件請求項１３に係る発明が、「フライアイレンズシートと前面保護シートとが前記フライアイレンズシートの前記映像光出射面での光吸収帯で、接着剤を用いて貼り合わされて、１枚の前面シートを形成し、
　前記接着剤は、該接着剤によって貼り付けられた前記前面保護シートと前記光吸収帯との接着面における光反射率が、前記前面保護シートの空気界面における光反射率の１／１００以下となるような屈折率を有することを特徴とする透過型スクリーン。」構成（以下、「本件請求項１３の特徴的構成」という。）を有するのに対し、上記株式会社クラレが提出した甲第１〜８号証及び株式会社ディスクが提出した甲第１〜９号証には、いずれも上記本件請求項１３の特徴的構成の記載又はその記載の示唆がなく、上記本件請求項１３に係る発明は、当該本件請求項１の特徴的構成を有することにより、「【００４６】さらに、本発明による透過型スクリーンでは、前面保護シートとレンチキュラーレンズシートまたはフライアイレンズシートとを接着する接着剤の屈折率を上記のように設定しているので、この接着剤と前面保護シートとの屈折率とが非常に近いものとなり、このため、前面保護シートとレンチキュラーレンズシートまたはフライアイレンズシートとの接着面での反射率が非常に小さいものとなる。従って、この接着面での外光の反射光の強度を充分低減できる。」（特許明細書【００４６】段落）という、上記株式会社クラレが提出した甲第１〜８号証及び株式会社ディスクが提出した甲第１〜９号証にはない効果を有する。
　従って、本件請求項１３に係る発明は、上記上記株式会社クラレが提出した甲第１〜８号証及び株式会社ディスクが提出した甲第１〜９号証に基づいて容易に発明できたものではない。
　また、本件請求項１、３、４、５及び１３に係る発明を引用する、本件請求項２、６〜１２、１４〜３２に係る発明は、上記本件請求項１、３、４、５及び１３に係る発明と同様に、上記株式会社クラレが提出した甲第１〜８号証及び株式会社ディスクが提出した甲第１〜９号証に基づいて容易に発明できたものではない。
　また、本件請求項１、２９及び３２に係る発明は、上記本件請求項１、３、４、５及び１３に係る発明の特徴的構成を有するから、上記株式会社クラレが提出した甲第１号証記載の発明と同一ではない。
　
４．むすび
　以上のとおりであるから、特許異議の申し立ての理由及び証拠によっては、本件請求項１〜３２に係る発明の特許を取り消すことができない。
　また、他に本件請求項１〜３２に係る発明の特許を取り消すべき理由を発見しない。
　したがって、本件請求項１〜３２に係る発明の特許は拒絶の査定をしなければならない特許出願に対してされたものと認めない。
  よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１５年３月１７日（２００３．３．１７）
【訂正の要旨】
▲１▼訂正事項ａ
　特許明細書（特許第３２７０２６１号明細書、以下同じ）における請求項１の記載を以下の通り訂正する。
「【請求項１】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、前記映像光出射面の前記映像光線が通過する領域を平面形状とし、
　前記前面保護シートの
映像光入射面及び
　　０．４≦Ｔ＜１．０
なる条件を満たし、
　前記レンチキュラーレンズシートの前記映像光出射面に設けられた前記光吸収帯と前面保護シートとを
接着剤を用いて
、
　
前記接着剤は、該接着剤によって貼り付けられた前記前面保護シートと前記光吸収帯との接着面における光反射率が、前記前面保護シートの空気界面における光反射率の１／１００以下となるような屈折率を有する
▲２▼訂正事項ｂ
　特許明細書における請求項３の記載を以下の通り訂正する。
「【請求項３】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の水平方向を長手方向とするレンチキュラーレンズを複数個、スクリーン画面の垂直方向に連続して配置した形状であり、かつ前記前面保護シートのＤ線（波長５８９．３ｎｍの光）に対する透過率Ｔが、
　　０．４≦Ｔ＜１．０
なる条件を満たし、
　前記レンチキュラーレンズシートと前面保護シートとが前記レンチキュラーレンズシートの前記映像光出射面での光吸収帯で
、接着剤を用いて
　
前記接着剤は、該接着剤によって貼り付けられた前記前面保護シートと前記光吸収帯との接着面における光反射率が、前記前面保護シートの空気界面における光反射率の１／１００以下となるような屈折率を有する
▲３▼訂正事項ｃ
　特許明細書における請求項４の記載を以下の通り訂正する。
「【請求項４】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の垂直方向を長手方向とするレンチキュラーレンズを複数個、スクリーン画面の水平方向に連続して配置した形状であり、かつ前記前面保護シートのＤ線（波長５８９．３ｎｍの光）に対する透過率Ｔが、
　　０．４≦Ｔ＜１．０
なる条件を満たし、
　前記レンチキュラーレンズシートと前面保護シートとが前記レンチキュラーレンズシートの前記映像光出射面での光吸収帯で
、接着剤を用い
、
　
前記接着剤は、該接着剤によって貼り付けられた前記前面保護シートと前記光吸収帯との接着面における光反射率が、前記前面保護シートの空気界面における光反射率の１／１００以下となるような屈折率を有する
▲４▼訂正事項ｄ
　特許明細書における請求項５の記載を以下の通り訂正する。
「【請求項５】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、擦りガラス状に微細な凸凹を持つ形状をなし、かつ前記前面保護シートのＤ線（波長５８９．３ｎｍの光）に対する透過率Ｔが、
　　０．４≦Ｔ＜１．０
なる条件を満たし、
　前記レンチキュラーレンズシートと前面保護シートとが前記レンチキュラーレンズシートの前記映像光出射面での光吸収帯で
、接着剤を用いて
、
　
前記接着剤は、該接着剤によって貼り付けられた前記前面保護シートと前記光吸収帯との接着面における光反射率が、前記前面保護シートの空気界面における光反射率の１／１００以下となるような屈折率を有する
▲５▼訂正事項ｅ
　特許明細書における請求項１３の記載を以下の通り訂正する。
「【請求項１３】　フレネルレンズシートとフライアイレンズシートと前面保護シートとを含み、映像発生源側から入射する映像光線を透過して映像観視側に出射する透過型スクリーンにおいて、
　前記フレネルレンズシートの少なくとも１つの面にフレネル凸レンズが形成されており、
　前記フライアイレンズシートは、映像光入射面がマイクロレンズ素子をスクリーン画面の水平及び垂直方向に連続して並べた形状をなして、前記マイクロレンズ素子の焦点位置がその映像光出射面とほぼ同じとなるようにし、前記映像光出射面の前記映像光線が通過しない領域に光吸収帯が設けられ、
　前記前面保護シートの
映像光入射面及び
　　０．４≦Ｔ＜１．０
なる条件を満たし、
　かつ前記フライアイレンズシートと前面保護シートとが前記フライアイレンズシートの前記映像光出射面での光吸収帯で
、接着剤を用いて
　
前記接着剤は、該接着剤によって貼り付けられた前記前面保護シートと前記光吸収帯との接着面における光反射率が、前記前面保護シートの空気界面における光反射率の１／１００以下となるような屈折率を有する
▲６▼訂正事項ｆ
　特許明細書第８頁右欄第２０行（段落番号【００５９】）の「全面シート１の映像光入射面６」との記載を、「
保護シート２
（５４）【発明の名称】
透過型スクリーンとその製造方法及びそれを用いた背面投写型画像ディスプレイ装置
（５７）【特許請求の範囲】
　【請求項１】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、前記映像光出射面の前記映像光線が通過する領域を平面形状とし、
　前記前面保護シートの
映像光入射面及び
　　０．４≦Ｔ＜１．０
なる条件を満たし、
　前記レンチキュラーレンズシートの前記映像光出射面に設けられた前記光吸収帯と前面保護シートとを
接着剤を用いて
、
　
前記接着剤は、該接着剤によって貼り付けられた前記前面保護シートと前記光吸収帯との接着面における光反射率が、前記前面保護シートの空気界面における光反射率の１／１００以下となるような屈折率を有する
　【請求項２】　請求項１において、
　前記光吸収帯の面積Ｓ１がスクリーンの全面積Ｓ０に対して、
　　０．４≦Ｓ１／Ｓ０≦０．８
なる条件を満たすことを特徴とする透過型スクリーン。
　【請求項３】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の水平方向を長手方向とするレンチキュラーレンズを複数個、スクリーン画面の垂直方向に連続して配置した形状であり、かつ前記前面保護シートのＤ線（波長５８９．３ｎｍの光）に対する透過率Ｔが、
　　０．４≦Ｔ＜１．０
なる条件を満たし、
　前記レンチキュラーレンズシートと前面保護シートとが前記レンチキュラーレンズシートの前記映像光出射面での光吸収帯で
、接着剤を用いて
　
前記接着剤は、該接着剤によって貼り付けられた前記前面保護シートと前記光吸収帯との接着面における光反射率が、前記前面保護シートの空気界面における光反射率の１／１００以下となるような屈折率を有する
　【請求項４】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、スクリーン画面の垂直方向を長手方向とするレンチキュラーレンズを複数個、スクリーン画面の水平方向に連続して配置した形状であり、かつ前記前面保護シートのＤ線（波長５８９．３ｎｍの光）に対する透過率Ｔが、
　　０．４≦Ｔ＜１．０
なる条件を満たし、
　前記レンチキュラーレンズシートと前面保護シートとが前記レンチキュラーレンズシートの前記映像光出射面での光吸収帯で
、接着剤を用い
、
　
前記接着剤は、該接着剤によって貼り付けられた前記前面保護シートと前記光吸収帯との接着面における光反射率が、前記前面保護シートの空気界面における光反射率の１／１００以下となるような屈折率を有する
　【請求項５】　フレネルレンズシートとレンチキュラーレンズシートと前面保護シートとを有し、映像発生源側から入射する映像光線を透過して映像観視側に出射する透過型スクリーンにおいて、
　前記フレネルレンズシートの少なくとも１つ面にはフレネル凸レンズが形成されており、
　前記レンチキュラーレンズシートは、映像光入射面がスクリーン画面の垂直方向を長手方向とする縦長レンチキュラーレンズをスクリーン画面の水平方向に連続して複数配列した形状をなして、前記レンチキュラーレンズの焦点位置がその映像光出射面とほぼ同じとなるようにし、前記映像光出射面の前記映像光線が通過しない領域に光吸収帯が設けられ、
　前記前面保護シートの映像光出射面は平面であって、前記前面保護シートの映像光入射面が、擦りガラス状に微細な凸凹を持つ形状をなし、かつ前記前面保護シートのＤ線（波長５８９．３ｎｍの光）に対する透過率Ｔが、
　　０．４≦Ｔ＜１．０
なる条件を満たし、
　前記レンチキュラーレンズシートと前面保護シートとが前記レンチキュラーレンズシートの前記映像光出射面での光吸収帯で
、接着剤を用いて
、
　
前記接着剤は、該接着剤によって貼り付けられた前記前面保護シートと前記光吸収帯との接着面における光反射率が、前記前面保護シートの空気界面における光反射率の１／１００以下となるような屈折率を有する
　【請求項６】　請求項１〜５のいずれか１つにおいて、
　前記前面保護シートと前記レンチキュラーレンズシートとの貼り合わせる接着剤は、光を吸収する材質のものであることを特徴とする透過型スクリーン。
　【請求項７】　請求項６において、
　前記接着剤は、Ｄ線（波長５８９．３ｎｍの光）に対する屈折率Ｎが
　　１．３≦Ｎ≦１．７
なる条件を満たす材質のものであることを特徴とする透過型スクリーン。
　【請求項８】　前記レンチキュラーレンズシートの前記映像光出射面の形状を形成しながら、前記前面保護シートと前記レンチキュラーレンズシートとを熱可塑性の材質の接着剤で貼り合わせて熱圧着し、前記前面シートを形成することを特徴とする請求項６に記載の透過型スクリ−ンの製造方法。
　【請求項９】　請求項８において、
　前記接着剤は、Ｄ線（波長５８９．３ｎｍの光）に対する屈折率Ｎが
　　１．３≦Ｎ≦１．７
なる条件を満たす材質のものであることを特徴とする透過型スクリーンの製造方法。
　【請求項１０】　前記レンチキュラーレンズシートの前記映像光出射面の形状を形成しながら、前記前面保護シートと前記レンチキュラーレンズシートとを紫外線もしくは可視光線もしくは電磁波を照射されることによって硬化する材質の接着剤で貼り合わせ、前記紫外線もしくは可視光線もしくは電磁波を前面保護シート側から照射して前記接着剤を硬化し、前記前面シートを形成することを特徴とする請求項６または７に記載の透過型スクリ−ンの製造方法。
　【請求項１１】　請求項８〜１０のいずれか１つにおいて、
　前記前面保護シートにロール状に変形可能な材質を用いたことを特徴とする透過型スクリ−ンの製造方法。
　【請求項１２】　請求項８〜１１のいずれか１つにおいて、
　前記前面保護シートと前記レンチキュラーレンズシートとの貼り合わせ工程で、前記レンチキュラーレンズの光吸収帯に接着剤を塗布したことを特徴とする透過型スクリ−ンの製造方法。
　【請求項１３】　フレネルレンズシートとフライアイレンズシートと前面保護シートとを含み、映像発生源側から入射する映像光線を透過して映像観視側に出射する透過型スクリーンにおいて、
　前記フレネルレンズシートの少なくとも１つの面にフレネル凸レンズが形成されており、
　前記フライアイレンズシートは、映像光入射面がマイクロレンズ素子をスクリーン画面の水平及び垂直方向に連続して並べた形状をなして、前記マイクロレンズ素子の焦点位置がその映像光出射面とほぼ同じとなるようにし、前記映像光出射面の前記映像光線が通過しない領域に光吸収帯が設けられ、
　前記前面保護シートの
映像光入射面及び
　　０．４≦Ｔ＜１．０
なる条件を満たし、
　かつ前記フライアイレンズシートと前面保護シートとが前記フライアイレンズシートの前記映像光出射面での光吸収帯で
、接着剤を用いて
、
　
前記接着剤は、該接着剤によって貼り付けられた前記前面保護シートと前記光吸収帯との接着面における光反射率が、前記前面保護シートの空気界面における光反射率の１／１００以下となるような屈折率を有すること
　【請求項１４】　請求項１３において、
　前記フライアイレンズシートの前記映像光出射面が、前記フライアイレンズシートの前記映像光入射面でのマイクロレンズ素子にほぼ対向してマイクロレンズ素子を、有限幅の光吸収帯を介して、スクリーン画面の水平及び垂直方向に連続して並べた形状をなしていることを特徴とする透過型スクリーン。
　【請求項１５】　請求項１３において、
　前記フライアイレンズシートの前記映像光出射面が平面であることを特徴とする透過型スクリーン。
　【請求項１６】　請求項１３，１４または１５において、
　前記光吸収帯の面積Ｓ１がスクリーンの全面積Ｓ０に対して
　　０．４≦Ｓ１／Ｓ０≦０．８
なる条件を満たすことを特徴とする透過型スクリーン。
　【請求項１７】　請求項１３において、
　前記フレネルレンズシートの映像光出射面をフレネル凸レンズとしたことを特徴とする透過型スクリーン。
　【請求項１８】　請求項１７において、
　前記フレネルレンズシートの映像光入射面が、スクリーン画面の水平方向を長手方向とするレンチキュラーレンズを複数個、スクリーン画面の垂直方向に連続的に配置した形状としたことを特徴とする透過型スクリーン。
　【請求項１９】　請求項１３において、
　前記前面保護シートの映像光入射面が、スクリーン画面の水平方向を長手方向とするレンチキュラーレンズを複数個、スクリーン画面垂直方向に連続して配置した形状をなすことを特徴とする透過型スクリーン。
　【請求項２０】　請求項１３において、
　前記前面保護シートの映像光入射面が、スクリーン画面の垂直方向を長手方向とするレンチキュラーレンズを複数個、スクリーン画面の水平方向に連続して配置した形状をなすことを特徴とする透過型スクリーン。
　【請求項２１】　請求項１３において、
　前記前面保護シートの映像光入射面が、擦りガラス状に微細な凸凹を持つ形状をなすことを特徴とする透過型スクリーン。
　【請求項２２】　請求項１３において、
　前記前面保護シートと前記フライアイレンズシートとを貼り合わせる接着剤は光を吸収する材質のものであることを特徴とする透過型スクリ−ン。
　【請求項２３】　請求項２２において、
　前記接着剤は、Ｄ線（波長５８９．３ｎｍの光）に対する屈折率Ｎが、
　　１．３≦Ｎ≦１．７
なる条件を満たす材質のものであることを特徴とする透過型スクリーン。
　【請求項２４】　前記フライアイレンズシートの前記映像光出射面の形状を形成しながら、前記前面保護シートと前記フライアイレンズシートとを熱可塑性の材質の接着剤で貼り合わせて熱圧着し、前記前面シートを形成することを特徴とする請求項２２に記載の透過型スクリ−ンの製造方法。
　【請求項２５】　請求項２４において、
　前記接着剤は、Ｄ線（波長５８９．３ｎｍの光）に対する屈折率Ｎが、
　　１．３≦Ｎ≦１．７
なる条件を満たす材質のものであることを特徴とする透過型スクリーンの製造方法。
　【請求項２６】　前記フライアイレンズシートの前記映像光出射面の形状を形成しながら、前記前面保護シートと前記フライアイレンズシートとを紫外線もしくは可視光線もしくは電磁波を照射されることによって硬化する材質の接着剤で貼り合わせ、前記前面保護シート側から紫外線もしくは可視光線もしくは電磁波を照射して前記接着剤を硬化し、前記前面シートを形成することを特徴とする請求項２２または２３に記載の透過型スクリ−ンの製造方法。
　【請求項２７】　請求項２４〜２６のいずれか１つにおいて、
　前記前面保護シートとしてロール状に変形可能な材質を用いたことを特徴とする透過型スクリ−ンの製造方法。
　【請求項２８】　請求項２４〜２７のいずれか１つにおいて、
　前記前面保護シートと前記フライアイレンズシートの貼り合わせ製造工程で、前記フライアイレンズの前記映像光出射面での光吸収帯に接着剤を塗布したことを特徴とする透過型スクリ−ンの製造方法。
　【請求項２９】　請求項１〜７のいずれか１つにおいて、
　フレネルレンズシートとレンチキュラーレンズシートと前面保護シートの少なくとも１つ面に反射防止膜を設けたことを特徴とする透過型スクリーン。
　【請求項３０】　請求項１３〜２３のいずれか１つにおいて、
　フレネルレンズシートとフライアイレンズシートと前面保護シートの少なくとも１つ面に反射防止膜を設けたことを特徴とする透過型スクリーン。
　【請求項３１】　前記反射防止膜は、非晶質のフッ素樹脂をパーフルオロ溶剤に溶かして得られる所望の濃度の溶液を、スクリーン面にスピン法またはディッピング法により塗布して成膜されることを特徴とする請求項２９または３０に記載の透過型スクリーンの製造方法。
　【請求項３２】　映像発生源の前方に投写レンズを配し、該投写レンズの前方の結像面に請求項１〜７，１３〜２３，２９，３０のいずれか１つに記載の透過型スクリーンを配して構成されることを特徴とする背面投写型画像ディスプレイ装置。
【発明の詳細な説明】
　【０００１】
　【産業上の利用分野】
　本発明は、透過型スクリーンとその製造方法及びそれを用いた背面投射型テレビなどの背面投写型画像ディスプレイ装置に係り、特に、フレネルレンズシートと組み合わせて透過型スクリーンを構成するレンチキュラーレンズシートもしくはフライアイレンズシートと、前面保護シートとに関する。
　【０００２】
　【従来の技術】
　小型画像発生源としての投写型ブラウン管や液晶表示装置などに表示された画像を投写レンズによって拡大し、透過型スクリーンに投写する背面投写型テレビジョン受像機などの画像ディスプレイ装置は、近年画質の向上が著しく、大画面による迫力ある臨場感を楽しむことができるため、家庭用や業務用とし
て普
　【０００３】
　この背面投写型ディスプレイ装置においては、投写型ブラウン管を画像発生源として用いる場合、透過型スクリーン上の輝度を充分に明るくするために、従来から一般に、赤，緑，青の３原色夫々毎のブラウン管と投写型レンズを組み合わせ、透過型スクリーン上で３原色の合成を行なう方式が採用されていた。
　【０００４】
　図１５はかかる背面投写型ディスプレイ装置の光学系を示す構成図であって、３０Ｂ，３０Ｇ，３０Ｒは夫々青色投写管，緑色投写管，赤色投写管、３１Ｂ，３１Ｇ，３１Ｒは夫々投写レンズ、３２Ｂ，３２Ｇ，３２Ｒは夫々青色映像光，赤色映像光，緑色映像光、３３は透過型スクリーンである。
　【０００５】
　同図において、緑色投写管３０Ｇを中心として左右に青色投写管３０Ｂ、赤色投写管３０Ｒが横方向にインライン配置され、緑色投写管３０Ｇからの緑色映像光３２Ｇ，青色投写管３０Ｂからの青色映像光３２Ｂ及び赤色投写管３０Ｒからの赤色映像光３２Ｒが夫々投写レンズ３１Ｇ，３１Ｂ，３１Ｒで拡大されて、透過型スクリーン３３上で合成投写される。これにより、透過型スクリーン３３の前面（図面上、右側の面）に拡大されたカラー映像が表示される。
　【０００６】
　図１６はこのような背面投写型画像ディスプレイ装置に用いられる従来の透過型スクリーンの要部を示す斜視図であって、１はレンチキュラーレンズシート、３はフレネルレンズシート、７は映像光出射面、８は映像光入射面、９は映像光出射面、１０は映像光入射面、１１は光吸収帯である。
　【０００７】
　同図において、透過型スクリーンはフレネルレンズシート３とレンチキュラーレンズシート１からなる２枚構成であって、レンチキュラーレンズシート１が背面投写型画像ディスプレイ装置の前面側にある。フレネルレンズシート３の投写管（図示せず）側の映像光入射面１０は平面であって、その反対側の映像光出射面９にはフレネル凸レンズが形成されている。フレネルレンズシート３の映像光出射面９のフレネル凸レンズは、映像光入射面１０から入射する画像光の光束がこの映像光出射面９からほぼ平行光束となって出射するように設けられており、透過型スクリーンの画面全体の明るさを均一にする効果がある。
　【０００８】
　図１７は図１６でのレンチキュラーレンズシート１の要部を示す横断面図であって、３４は映像光であり、図１６に対応する部分には同一符号をつけている。
　【０００９】
　同図において、レンチキュラーレンズシート１では、フレネルレンズシート３側の映像光入射面８の形状が、スクリーン画面の垂直方向を長手方向とする縦長レンチキュラーレンズをスクリーン画面の水平方向に連続して複数配列した形状をなしており、また、その反対側の映像光出射面７の形状が、スクリーン画面の垂直方向を長手方向とする縦長レンチキュラーレンズと、スクリーン画面の垂直方向を長手方向とする有限幅の光吸収帯１１とを交互に連続して複数配列した形状をなしている。映像光入射面８をなすレンチキュラーレンズの横断面形状は楕円に近い面形状をしており、その形状及び特性は特開昭５８−５９４３６号公報に詳しく述べられている。
　【００１０】
　フレネルレンズシート３（図１６）から出射した映像光３４は、映像光入射面８での縦長レンチキュラーレンズによって画面水平方向に屈折拡散され、広い角度範囲に出射する。
　【００１１】
　また、明るい室内でかかる背面投写型ディスプレイ装置の映像を観視したときには、室内の光が外光となってスクリーンで反射され、映像光と重なって見えて映像が見づらくなる現象が発生することがあるが、このレンチキュラーレンズシート１が持つ作用ににより、かかる背面投写型ディスプレイ装置では、外光の反射が低減される。
　【００１２】
　映像光入射面８の縦長レンチキュラーレンズによって屈折された光は、映像光出射面７の一定の幅の範囲内に集光されて出射される。そして、光が出射しない場所には黒色の塗料で塗装して光吸収帯１１とし、これにより、透過型スクリーンでの外光反射を大幅に低減できるようにしている。
　【００１３】
　因みに、かかる従来のレンチキュラーレンズシート１では、映像光出射面７に対する光吸収帯１１の面積比率を約５０％にすると、光吸収帯１１での外光反射は、極めて小さいことから、ほぼ０とみなすことができ、このため、スクリーン表面での外光の平均反射率は、光吸収帯１１がない場合に比較すると、約５０％低減される。従って、同じ外光があった場合でも、反射強度は半減する。
　【００１４】
　なお、かかる縦長レンチキュラーレンズでは、映像光はスクリーン画面の垂直方向には拡散されない。そこで、映像光をスクリーン画面の垂直方向に拡散させるために、レンチキュラーレンズシート１のプラスチック基材の中に屈折率が異なる透明な硝子ビーズなどでできた光拡散材が練り込まれており、これによって水平及び垂直方向への光拡散を行なっている。レンチキュラーレンズシート１の内部へ入射した映像光はこの光拡散材によって屈折もしくは反射され、上下左右方向に散乱する。レンチキュラーレンズシート１では、この光拡散材の拡散作用によってスクリーン画面の垂直方向に光を拡散させている。そのため、レンチキュラーレンズシート１の内部に入射した外光は光拡散材によって散乱される。従って、レンチキュラーレンズシート１の内部に入射した外光の反射は極めて小さいため、ほぼ０とみなすことができる。
　【００１５】
　しかしながら、かかるレンチキュラーレンズシート１を用いると、スクリーン表面が平坦でなく、レンチキュラーレンズ７及び光吸収帯１１の複雑な凸凹を持つため、スクリーン表面が傷つきやすく、また、清掃がしづらいという問題があった。さらに、このような表面形状を持つスクリーンではざらざらした表面に見え、ディスプレイ装置としての高級感を損ねるという問題もあった。
　【００１６】
　そこで、レンチキュラーレンズシート１より外側（映像観視側）に、さらに、アクリル平板の前面保護シートを設置する技術が近年行なわれている。
　【００１７】
　図１８はかかる前面保護シートを使用した従来の透過型スクリーンの要部を示す斜視図であって、２は前面保護シート、５は映像光出射面、６は映像光入射面であり、図１６に対応する部分には同一符号をつけている。
　【００１８】
　同図において、この透過型スクリーンは３枚構成であって、フレネルレンズシート３とレンチキュラーレンズシート１と前面保護シート２からなっており、レンチキュラーレンズシート１の前面側に平行平面状の映像光入射面６、映像光出射面５を有する前面保護シート２が配置されている。
　【００１９】
　かかる前面保護シート２を設置することにより、映像観視側のスクリーン表面が平面となり、このため、スクリーン表面の傷付き防止や清掃を容易にすることができるし、また、スクリーン表面に光沢を持たせたディスプレイ装置としての高級感を高めることができる。
　【００２０】
　【発明が解決しようとする課題】
　しかしながら、上記のような前面保護シート２を備えた従来の透過型スクリ−ンでは、映像光の入出射面数の増加による外光反射の増加や重量増、構成シート数の増加などの問題がある。以下、これらについて詳細に説明する。
　【００２１】
　第１の問題点として、透過型スクリ−ンの映像観視側に平面の前面保護シート１１を追加することにより、前面保護シート１１によって新たな外光反射が発生し、スクリ−ン上に室内の照明や周囲の人，窓などが映り込んで表示される映像と重なって見え、映像が見づらくなるという映り込みの問題が発生していた。
　【００２２】
　図１９は前面保護シートを用いた従来の透過型スクリーンでの外光反射の状態を示す光線追跡図であり、１２は外光、１３は表面反射光、１４，１５は内部反射光である。
　【００２３】
　同図において、前面保護シート２での外光１２の反射光は、この前面保護シート２の映像光出射面５での表面反射光１３だけではなく、その他の反射光も生ずる。その主な反射光としては、一旦前面保護シート２の内部に入射した外光１２が前面保護シート２での映像光入射面６で反射され、再度前面保護シート２を通ってその映像光出射面５から出射する内部反射光１４や、さらに映像光入射面６を透過してレンチキュラーレンズシート１の映像光出射面７で反射され、再度前面保護シート２の映像光入射面６から入射して映像光出射面５から出射する内部反射光１５も含まれる。
　【００２４】
　ここで、表面反射光１３の強度Ｒｓ，内部反射光１４の強度Ｒｎ，内部反射光１５の強度Ｒｍは、外光１２の強さを１とし、レンチキュラーレンズシート１での映像光出射面７側の面の光吸収帯１１の面積比率をＨ、界面での反射率をＲａとすると、夫々次の式（１）で表わすことができる。
　【００２５】
　　前面保護シート２の映像光出射面５：Ｒｓ＝Ｒａ
　　前面保護シート２の映像光入射面６：Ｒｎ＝Ｒａ・（１−Ｒａ）２
　　レンチキュラーレンズシート１の映像出射面７
　　　　　　　　　　　　　　　　　　：Ｒｍ＝（１−Ｈ）・Ｒａ・（１−Ｒａ）４
　　　　　　　　　　　　　　　　　　　　　　　　　　　　　　………（１）
但し、Ｒは全反射を１とし、Ｈは全て光吸収帯である場合を１として定義する。
　【００２６】
　このとき、室内の光がスクリーンで反射されるときの外光の入射角度は様々であるが、代表的な垂直に近い角度で入射する外光について考える。スクリーンに対してほぼ垂直に入射する外光に対する表面反射光と内部反射光とを併せた映り込みの大きさＲ１は、外光の強さを１とし、界面での反射率をＲａとすると、次の式（２）で表わすことができる。
　【００２７】
　　Ｒ１＝Ｒｓ＋Ｒｎ＋Ｒｍ
　　　　＝Ｒａ＋Ｒａ・（１−Ｒａ）２＋（１−Ｈ）・Ｒａ・（１−Ｒａ）４
　　　　　　　　　　　　　　　　　　　　　　　　　　　　　　………（２）
　ここで、屈折率の異なる物質の界面における反射率Ｒは、光が垂直に入射する場合、光入射側の媒質の屈折率をＮ１とし、光出射側の媒質の屈折率をＮ２とすると、次の式（３）で表わすことができる。
　【００２８】
　　Ｒ＝（Ｎ１−Ｎ２）２／（Ｎ１＋Ｎ２）２　　　　　　　　　………（３）
　そこで、前面保護シート２の基材は一般にアクリル樹脂であり、アクリル樹脂基材の屈折率が約１．４９であるから、屈折率１．０の空気との界面に垂直に入射する光に対して、前面保護シート２の映像光出射面５，映像光入射面６での反射率Ｒａは、上記式（３）から、約０．０３９となる。従って、上記式（１），式（２）により、従来の前面保護シート２の映り込みの強度は、
　　前面保護シート２の映像光出射面５の反射光強度Ｒｓ：０．０３９
　　　　　同　　　　　映像光入射面６の反射光強度Ｒｎ：０．０３６
　　レンチキュラーレンズシート１の映像光出射面７の反射光強度Ｒｍ
　　　　　　　　　　　　　　　　　　　　　　　　　　：０．０１７
の合計となり、スクリーンに入射する外光１２に対して約０．０９２となる。
　【００２９】
　このような内部反射光を低減する方法としては、従来、前面保護シート２に半透明の着色を加えて、光透過率を減少させる方法が行なわれていた。この方法によると、図１９に示すように、前面保護シート２の内部に入射して界面で反射される内部反射光１４，１５は、再び外部に出射するまでに、少なくとも２回前面保護シート２の内部を通過することになるが、これによって内部反射光１４，１５は、着色された前面保護シート２の透過率の２乗に比例して減衰することになる。但し、表面反射光１３はこの着色による影響は受けない。従って、着色による透過率をＴとし、前面保護シート２における界面の反射率をＲａとすると、映り込みの強さＲ２は次の式（４）で表わされる。
　【００３０】
　　Ｒ１＝Ｒｓ＋Ｔ２・Ｒｎ＋Ｔ２・Ｒｍ
　　　　＝Ｒａ＋Ｔ２・Ｒａ・（１−Ｒａ）２＋Ｔ２・（１−Ｈ）・Ｒａ・（１−Ｒａ）４
　　　　　　　　　　　　　　　　　　　　　　　　　　　　　　………（４）
但し、Ｔは着色のない場合を１、全く光を透過しない場合を０とする。
　【００３１】
　しかし、この方法では、スクリーンを通過する映像光の強度をも減衰させることになる。映像光の減衰に比べると、内部反射光は透過率の２乗に比例して減少するため、映像は観視しやすくなるが、映像光も減衰してしまうことは問題である。例えば、映り込みを従来の０．０９２の８０％の０．０７４に減小させるためには、表面反射光１３は着色の影響を受けないため、前面保護シート２の映像光入射面６における内部反射光１４とレンチキュラーレンズシート１の映像光出射面７における反射光１５とを着色のない場合の約６６％に減少させる必要があり、従って、着色により映像光の透過率を約８１％に減少させる必要が生じる。このように、従来の着色を使用した技術によって映り込みを減少させると、映像光の強度も減少してしまうという問題が生ずる。
　【００３２】
　従来の透過型スクリーンの第２の問題としては重量が増大化することである。
　【００３３】
　投写形ディスプレイ装置を開発する上での課題の１つとして、据付け作業を容易にするためのセットを軽量化することが挙げられる。ところが、従来の前面保護シート２（図１９）は、破損や凹みなどのに対する強度を確保するため、一般に２ｍｍ以上の厚さを有している。画面サイズが対角３５″を超える投写形ディスプレイ装置では、装置全体の重量を画面対角１″当り１ｋｇ以下に、例えば、画面サイズ対角４０″では４０ｋｇ以下に抑えることが目標の１つであるが、前面保護シート単体の重さは１ｋｇ近くになり、重量増も無視できない問題となっていた。
　【００３４】
　従来の透過型スクリーンの第３の問題として、図１９に示したように、前面保護シート２を新たに加えることによってスクリ−ンを構成するシート枚数が２枚から３枚に増加するため、ディスプレイ装置のキャビネットのスクリ−ン取付け構造が複雑になり、部品点数の増加や組付け性の悪化を招くという問題がある。
　【００３５】
　本発明の目的は、かかる問題を解消し、前面保護シートを有しながら映り込みによる画質の低下を軽減し、良好な品質感を保ちつつ傷付き防止を図り、清掃が容易な透過型スクリーンとその製造方法及びそれを備えた背面投写形ディスプレイ装置を提供することにある。
　【００３６】
　本発明の他の目的は、前面保護シートの追加により増加したスクリーンの重量を軽減し、構成シートの枚数を低減することによって軽量でかつ組み付け性に優れた透過型スクリーンとその製造方法及びそれを備えた背面投写形ディスプレイ装置を提供することにある。
　【００３７】
　【課題を解決するための手段】
　上記目的を達成するために、本発明による透過型スクリーンは、レンチキュラーレンズシートまたはフライアイレンズシートと前面保護シートとを接着し、１枚の前面シートとする。この場合、接着するのは、レンチキュラーレンズシートまたはフライアイレンズシートの映像光出射面に設けられた光吸収帯と前面保護シートの映像光入射面とであり、前面保護シートの映像光出射面は平面形状とする。
　【００３８】
　また、本発明による透過型スクリーンは、上記光吸収帯の面積Ｓ１がスクリーンの全面積Ｓ０に対して、０．４≦Ｓ１／Ｓ０≦０．８となるようにする。
　【００３９】
　さらに、本発明による透過型スクリーンは、レンチキュラーレンズシートまたはフライアイレンズシートと前面保護シートとを接着する接着剤を、Ｄ線に対する屈折率Ｎが１．３≦Ｎ≦１．７であるものとする。
　【００４０】
　本発明による透過型スクリーンの製造方法は、レンチキュラーレンズシートまたはフライアイレンズシートの映像光出射面の形状を形成しながら、前面保護シートとレンチキュラーレンズシートまたはフライアイレンズシートとを接着剤で貼り合わせ、しかる後、熱圧着もしくは紫外線，可視光線，電磁波の照射によってこの接着剤を硬化させて前面シートを形成する。
　【００４１】
　【作用】
　本発明による透過型スクリーンでは、前面保護シートの映像光出射面から入射した外光の一部は、この前面保護シートの映像光入射面で反射するが、この映像光入射面でのレンチキュラーレンズシートまたはフライアイレンズシートの光吸収帯に接着された部分では、光吸収が行なわれるので、この部分からの内部反射光の強度は低減する。このため、反射光全体の強度が低減し、外光による映り込みを低減できて表示される映像が見やすくなる。
　【００４２】
　また、前面保護シートとレンチキュラーレンズシートまたはフライアイレンズシートとが接着されて１枚の前面シートが形成されているため、この前面シートの機械強度が、前面保護シートとレンチキュラーレンズシートまたはフライアイレンズシートとが分離されているときよりも、大きくなり、このため、前面保護シートの厚みを薄くできて、スクリーン全体を軽量化できる。
　【００４３】
　さらに、スクリーン構成のシート枚数も、従来の３枚から２枚に減らすことができ、スクリーンの取付け構造が簡略化できて、背面投写型画像ディスプレイ装置への組付け性能が向上する。
　【００４４】
　さらにまた、スクリーン画面となる前面保護シートの映像光出射面は平面形状をなすものであるから、背面投写型画像ディスプレイ装置としても、品質感が高まり、また、スクリーンに傷がつきにくくて清掃も容易になる。
　【００４５】
　また、本発明による透過型スクリーンでは、スクリーンの全面積に対する上記光吸収帯の面積が設定されるので、前面シートでの貼り合わせの機械的強度が充分であるとともに、光吸収帯によって映像光が影響されることも防止することができる。
　【００４６】
　さらに、本発明による透過型スクリーンでは、前面保護シートとレンチキュラーレンズシートまたはフライアイレンズシートとを接着する接着剤の屈折率を上記のように設定しているので、この接着剤と前面保護シートとの屈折率とが非常に近いものとなり、このため、前面保護シートとレンチキュラーレンズシートまたはフライアイレンズシートとの接着面での反射率が非常に小さいものとなる。従って、この接着面での外光の反射光の強度を充分低減できる。
　【００４７】
　本発明による透過型スクリーンの製造方法では、レンチキュラーレンズシートもしくはフライアイレンズシートの映像光出射面の形状を形成しながら、かかるシートと前面保護シートとの貼り合わせによる前面シートの形成が行なわれるから、製造工程が短縮できる。
　【００４８】
　【実施例】
　以下、本発明の実施例を図面を用いて説明する。
　図１は本発明による透過型スクリーンの第１の実施例の要部を示す斜視図であって、４は前面シートであり、図１６〜図１９に対応する部分には同一符号をつけて重複する説明を省略する。
　【００４９】
　同図において、この実施例は、フレネルレンズシート３と前面シート４との２枚構成であって、前面シート４はレンチキュラーレンズシート１と前面保護シート２が貼り合わされたものである。
　【００５０】
　フレネルレンズシート３は、映像光入射面１０，映像光出射面９の少なくとも一方にフレネル凸レンズが形成されているが、ここでは、図１６〜図１９で示した従来の透過型スクリーンの場合と同様に、その映像光入射面１０が平面形状であり、その映像光出射面９の形状がフレネル凸レンズ形状をなしているものとする。
　【００５１】
　前記前面シート４を形成するレンチキュラーレンズシート１では、映像光入射面８の形状が、スクリーン画面の垂直方向を長手方向とする縦長レンチキュラーレンズをスクリーン画面の水平方向に連続して多数配列した形状をなし、また、映像光出射面７の形状が、スクリーン画面の垂直方向を長手方向とする縦長レンチキュラーレンズとスクリーン画面の垂直方向を長手方向とする有限幅の光吸収帯１１とを交互に連続して複数配列した形状をなしている。ここで、これらレンチキュラーレンズは映像光入射面８でのレンチキュラーレンズに各々対向している。この映像光出射面７において、光吸収帯１１は縦長レンチキュラーレンズよりも高く突き出した凸形状の突起の上面に位置し、映像光出射面７全体に対する面積比率は約５０％とする。また、前面保護シート２は映像光入射面６と映像光出射面５とが平面であり、厚さが１ｍｍである。
　【００５２】
　これらレンチキュラーレンズシート１と前面保護シート２とはレンチキュラーレンズシート１の光吸収帯１１で貼り合わされており、これにより、１枚の前面シート４が形成されている。従って、この実施例では、フレネルレンズシート３と前面シート４との２枚構成となっている。
　【００５３】
　図２は図１の水平面で切断してみた場合の横断面図であって、図１に対応する部分には同一符号をつけて重複する説明を省略する。
　【００５４】
　同図において、レンチキュラーレンズシート１と前面保護シート２とがレンチキュラーレンズシート１の光吸収帯１１で貼り合わされ、１枚の前面シート４となっている。このとき、光吸収帯１１上には、黒色で光を吸収する材質の接着剤が塗布されており、これによって光吸収帯１１が接着面となっている。
　【００５５】
　次に、この第１の実施例の作用について説明する。
　【００５６】
　図１，図２において、透過型スクリーン後方（即ち、フレネルレンズシート３の映像光入射面１０側）からの映像光は、まず、フレネルレンズシート３によってほぼ平行な光に変換され、レンチキュラーレンズシート１の映像光入射面８での縦長レンチキュラーレンズによってスクリーン画面の水平方向に拡散され、また、レンチキュラーレンズシート１の内部に練り込まれた光拡散材により、スクリーン画面の垂直方向にも拡散される。かかる拡散された映像光は、前面保護シート２を透過して観視者に到達する。
　【００５７】
　ここで、明るい室内で映像を観視した場合、室内の光源や人物などがスクリーンで反射されて映り込みとなる。
　【００５８】
　図３にこの第１の実施例における外側から入射した外光の反射状況を概略的に示す図であって、１２は外光、１３は表面反射光、１４，１５は内部反射光であり、図２に対応する部分には同一符号をつけている。
　【００５９】
　同図において、入射した外光１２は前面保護シート２の映像光出射面５で一部が反射され、残りが前面シート２内に入射する。この反射した光が表面反射光１３となる。前面保護シート２の内部に入射したこの外光の一部も、また、
前面保護シート２
　【００６０】
　このとき、前面保護シート２の映像光入射面６の面積のうちの５０％の部分は、この前面シート２の基材と屈折率の差の少ない接着剤が塗布されているレンチキュラーレンズシート１の光吸収帯１１と接着されており、このため、この接着面での界面反射率は大幅に低減し、この接着面からの反射光はほとんどないことになる。
　【００６１】
　例えば、前面保護シート２の基材を屈折率が１．４９のアクリル樹脂とし、接着剤を、例えば、屈折率が１．５２の接着剤とすると、上記式（３）により、上記接着面での垂直に入射した光に対する反射率Ｒは０．０００１であり、前面保護シート２の映像光入射面６が空気に接している場合のこの映像光入射面６での反射率Ｒ＝０．０３９に対して、１／１００以下となる。従って、かかる接着面に達した外光はほとんど光吸収帯１１で吸収される。
　【００６２】
　そこで、前面保護シート２での映り込みＲ３は、外光１２の強度を１．０、レンチキュラーレンズシート１の映像光出射面７での光吸収帯１１の面積比率をＨ、接着面での界面での反射率をＲｂ、空気とアクリル樹脂との界面での反射率をＲａすると、次の式（５）で表わすことができる。
　【００６３】
　　前面保護シート２の映像光出射面５　：Ｒｓ＝Ｒａ
　　前面保護シート２の映像光入射面６　：Ｒｎ＝（１−Ｈ）・Ｒａ・（１−Ｒａ）２＋Ｈ・Ｒｂ・（１−Ｒａ）２
　　レンチキュラーレンズシート１の映像出射面７
　　　　　　　　　　　　　　　　　　　：Ｒｍ＝（１−Ｈ）・Ｒ・（１−Ｒａ）４
　　総反射強度　　　　　　　　　　　　：Ｒ３＝Ｒｓ＋Ｒｎ＋Ｒｍ
　　　　　　　　　　　　　　　　　　　　　　　　　　　　　　………（５）
　例えば、レンチキュラーレンズシート１の映像光出射面７での光吸収帯１１の面積比率Ｈを０．５とすると、貼り合わせによって前面保護シート２の映像光入射面６の内、面積比５０％の部分の界面での反射率が０．０３９から０．０００１に減少するため、内部反射光１４の強度は上記式（１）によって求められる従来の０．０３６に対し、上記式（５）で求められる０．０１８と約５０％減少させることができる。ここで、表面反射光１３とレンチキュラーレンズシート１による内部反射光１５は貼り合わせによる影響を受けないが、前面シート４における外光の映り込みの強度は全体で従来の０．０９２（上記式（２）による）から０．０７４（上記式（５）による）に減少する。
　【００６４】
　また、このとき、レンチキュラーレンズシート１の光吸収帯１１のみを接着面とすることにより、映像光の通過する部分には影響を与えないため、貼り合わせによる映像光の光量の損失や光の拡散の変化などは発生しない。
　【００６５】
　ここで、レンチキュラーレンズシート１の映像光出射面７での光吸収帯１１の面積比率Ｈは０．５近辺に限定されるものではなく、０．４〜０．８であればよい。ここで、この面積比率Ｈを０．４よりも小さくすると、前面保護シート２に貼り合わせる機械的強度が低下する。また、この面積比率Ｈを０．８よりも大きくすると、映像光の一部が光吸収帯１１にかかって損失光が生じるため、実用的でない。このことは、後述する他の実施例についても同様であるが、以下では、この面積比率Ｈを０．５として説明する。
　【００６６】
　２枚のシートを接着する接着剤については、前面保護シート２との屈折率との差が少ないほど好ましいが、屈折率が１．３〜１．７の接着剤であれば、充分に映り込みを低減できる。
　【００６７】
　また、従来の前面保護シート２に半透明の着色を加えるだけの方法では、外光の映り込みを０．０７４に減少させるためには、透過率８１％の着色が必要となるが、この実施例では、映像光の透過率を減少させる必要がなく、より好ましい技術である。但し、この実施例においても、前面保護シート２に半透明の着色を加えることにより、さらに映り込みを減少させることも可能である。このとき、着色による透過率の範囲がＤ線（波長５８９．３ｎｍの光）に対して４０％以上であればよく、４０％よりも小さいと、映像そのものが暗くなり、実用的でなくなる。このことは後述する他の実施例についても同様である。
　【００６８】
　さらに、この実施例では、夫々のシートの映像光入出射面に反射防止膜を施すことでさらに映り込みを減少させることも可能である。反射防止膜としては、例えば、非晶質のフッ素樹脂をパークルオロ溶剤に溶かして所望濃度の溶液とし、これをスピン法やディッピング法などにより塗布して成膜すればよい。
　【００６９】
　ここで、透過型スクリーンに入射する外光の入射角度は様々であるが、以下、代表的な外光であるスクリーン面に垂直に入射する外光に対する反射光の強度について評価を行なった。
　【００７０】
　次の表１は、この実施例と、従来の前面保護シートとレンチキュラーレンズシートとが分離されている場合と、さらに、前面保護シートに半透明の着色を加えた場合との垂直に入射した外光に対する映り込みの強度を比較したものである。
　【００７１】
　【表１】
　【００７２】
　表１に示すように、この実施例では、上記のように２枚のシートを貼り合わせることにより、映像光の光量の損失を伴わずに、前面保護シート２の映像光入射面６での内部反射光の強度を０．０３６から０．０１８へと従来の５０％に低減し、外光の映り込みも全体で従来の０．０９２から０．０７４へと約８０％に低減した。
　【００７３】
　なお、次の表２に、この実施例での前面シート４の前面保護シート２に半透明の着色（透過型率８１％）を加えることにより、さらに映り込みを低減させた結果を示す。
　【００７４】
　【表２】
　【００７５】
　表２に示すように、この実施例では、前面保護シート２を着色した場合でも、従来の透過型スクリーンに対して反射光の強度を低減できた。
　【００７６】
　また、透過型スクリーンを構成する各シートでの反射を低減するために、上記のように、夫々のシートの映像光入出射面に反射防止膜を施すことにより、さらに映り込みの少ない透過型スクリーンを実現することもできる。この場合、反射防止膜によって個々のシートの映像光入出射面での反射率を小さくし、外光の映り込みを大幅に減少できるが、この実施例では、従来の透過型スクリーンに反射防止膜を使用した場合よりもさらに映り込みを減少させることができる。
　【００７７】
　以上の説明から明らかなように、この実施例では、外光の映り込みが少なく、室内灯などの外光がある場合でも、映像が観視しやすい。また、スクリーンの表面が平面であるため、光沢を持って高級感が出るほか、傷が付きにくく、清掃が容易である。
　【００７８】
　また、レンチキュラーレンズシート１と前面保護シート２を貼り合わせることにより、従来の透過型スクリーンよりも前面シートの強度が増すため、前面保護シートの厚さを２ｍｍから１ｍｍに薄くしても充分な強度を持ち、スクリーンを約５００ｇ軽量化することができる。さらに、透過型スクリーンを構成するシートの枚数は従来の３枚から２枚に低減したため、ディスプレイ装置に対するスクリーンの取付け構造が単純なものとなる。
　【００７９】
　図４は上記第１の実施例での前面シート４の製造方法の一実施例を示す図であって、１６は押出し成形機（エクストルーダ）、１７はシート基材、１８は映像光出射面成形ロール、１９は映像光入射面成形ロール、２０は接着剤塗布ロール、２１は前面保護シート圧着ロール、２２は熱可塑性接着剤であり、前出図面に対応する部分には同一符号をつけている。
　【００８０】
　同図において、押出し成形機１６より押し出されたレンチキュラーレンズシート１のシート基材１７は、その映像光入射面８のレンチキュラーレンズ面を形成する映像光入射面成形ロール１９とその映像光出射面７のレンチキュラーレンズと光吸収帯１１を成形する光出射側成形ロール１８によって挾まれて、レンチキュラーレンズシート１が成形される。成形されたこのレンチキュラーレンズシート１は、次いで、接着剤塗布ロール２０により、映像光出射面７の光吸収帯１１に、黒色の熱可塑性接着剤２２が塗布される。そして、前面保護シート圧着ロール２１により、レンチキュラーレンズシート１の出射面７に前面保護シート２が熱圧着によって貼り合わされて、前面シート４が形成される。ここで、前面保護シート２の材質をロール状に変形可能なものにすると、圧着の際に、前面保護シート２に無理な力や熱を加える必要がなくなる。
　【００８１】
　なお、この実施例では、黒色の接着剤を使用することとしているが、本発明はこれに限定されるものではなく、黒色の塗料と接着剤とを別々にし、黒色の塗料を塗布した後に接着剤をその上に塗布するようにしてもよい。
　【００８２】
　図５は上記第１の実施例での前面シート４の製造方法の他の実施例を示す図であって、２３は紫外線照明、２４は紫外線硬化接着剤であり、図４に対応する部分には同一符号をつけている。
　【００８３】
　同図において、図４に示した方法と同様にして映像光入射面８と映像光出射面７とが形成されたレンチキュラーレンズシート１は、接着剤塗布ロール２０によって黒色の紫外線硬化接着剤２４が塗布され、次いで、前面保護シート圧着ロール２１により、レンチキュラーレンズシート１の出射面７に前面保護シート２が圧着された後、前面保護シート２側から紫外線照明２３により紫外線が照射されて紫外線硬化接着剤２４が硬化し、前面シート４が形成される。
　【００８４】
　なお、紫外線の照射を映像光入射面８側より行なうと、その縦長レンチキュラーレンズのレンズ作用によって光吸収帯１１に紫外線が入射しない。このため、紫外線の照射は前面保護シート２側から行なう必要がある。
　【００８５】
　また、この実施例では、接着剤を紫外線によって硬化する紫外線硬化樹脂としてが、本発明はこれに限定されるものではなく、可視光線もしくは電磁波によって硬化する接着剤としてもよい。
　【００８６】
　以上のように、レンチキュラーレンズシート１と前面保護シート２との接着に紫外線硬化樹脂の接着剤を使用した場合、前面保護シート２の圧着の際に熱を加える必要がなく、かつ、接着後、紫外線照射により直ちに強い接着力が得られるため、レンチキュラーレンズの熱や時間，揮発性物質による変形が少なく、より高精度な前面シート４を得ることができる。
　【００８７】
　図６は本発明による透過型スクリーンの第２の実施例の要部を示す斜視図であって、１Ａはレンチキュラーレンズシート、７Ａは映像光出射面、８Ａは映像光入射面、４Ａは前面シートであり、前出図面に対応する部分には同一符号をつけて重複する説明を省略する。
　【００８８】
　同図において、先の実施例と同様に、この実施例においても、レンチキュラーレンズシート１Ａと前面保護シート２とが貼り合わされて前面シート４Ａを形成しているが、説明の都合上、これらレンチキュラーレンズシート１Ａと前面保護シート２とを離した状態で図示している。従って、この実施例も、前面シート４Ａとフレネルレンズシート３とからなる２枚構成であり、図１に示した第１の実施例と同様の構成をなしている。
　【００８９】
　ここで、前面シート４Ａを構成するレンチキュラーレンズシート１Ａは、映像光入射面８Ａが、スクリーン画面の垂直方向を長手方向とする縦長レンチキュラーレンズをスクリーン画面の水平方向に連続して多数配列した形状をなし、映像光出射面７Ａが平面形状であって、この平面状の映像光出射面７Ａに、スクリーン画面の垂直方向を長手方向とする有限幅の光吸収帯１１が、所定の等間隔で、映像光入射面８Ａでのレンチキュラーレンズに等しい個数配列されている。
　【００９０】
　そして、レンチキュラーレンズシート１Ａと前面保護シート２とが、図１に示した第１の実施例と同様の方法により、貼り合わせて前面シート４Ａが形成されている。
　【００９１】
　図７は図６の水平面で切断してみた場合の横断面図であって、図６に対応する部分には同一符号をつけて重複する説明を省略する。
　【００９２】
　同図において、貼り合わせに使用する接着剤は約０．１ｍｍの厚さをもっており、このため、レンチキュラーレンズシート１Ａと前面保護シート２との間の光の透過部分には隙間が生じる。しかし、この実施例の作用は図１に示した第１の実施例と同様であり、外光の映り込みについては、前面保護シート２の映像光入射面６での内部反射光を大幅に低減できる。
　【００９３】
　従って、外光の映り込みが少なく、室内灯などの外光がある場合でも、映像が観視しやすいし、スクリーンの表面が平面であるため、高級感があって傷が付きにくく、清掃が容易である。
　【００９４】
　そして、レンチキュラーレンズシート１Ａと前面保護シート２とを貼り合わせることによって従来よりも前面シート４Ａの強度が増すため、前面保護シート２の厚さを２ｍｍから１ｍｍに薄くして軽量化が可能であり、また、透過型スクリーンを構成するシートの枚数は従来の３枚から２枚に低減したため、ディスプレイ装置に対する透過型スクリーンの取付け構造が単純なものとなる。
　【００９５】
　また、この実施例においても、透過型スクリーンを構成する各シートの映像光入出射面での反射が低減するために、夫々のシートの映像光入出射面に反射防止膜を施すことにより、さらに映り込みの少ないものとすることもできる。
　【００９６】
　図８は本発明による透過型スクリーンの第３の実施例の要部を示す斜視図であって、４Ｂは前面シート、２５はフライアイレンズシート、２６は映像光出射面、２７は映像光入射面であり、前出図面に対応する部分には同一符号をつけて重複する説明を省略する。
　【００９７】
　同図において、フライアイレンズシート２５と前面保護シート２とは貼り合わされて前面シート４Ｂを形成しているが、説明の都合上、これらフライアイレンズシート２５と前面保護シート２とは離して図示している。
　【００９８】
　この実施例も、フライアイレンズシート２５と前面保護シート２とが貼り合わされてなる前面シート４Ｂと、フレネルレンズシート３とからなる２枚構成である。
　【００９９】
　ここで、前面シート４Ｂを構成するフライアイレンズシート２５の映像光入射面２７は、フレネルレンズシート３側に凸状のマイクロレンズ素子をスクリーン画面の水平及び垂直方向に連続して並べた形状をなしており、映像光出射面２６は、前面保護シート２側に凸状のマイクロレンズ素子をスクリーン画面の水平及び垂直方向に連続して並べた形状をなしている。そして、映像光出射面２６のマイクロレンズ素子相互の境界部には、かかるマイクロレンズ素子よりも高く突き出した格子状の平面部が設けられ、その上に格子状の光吸収帯１１が設けられている。この光吸収帯１１の面積はフライアイレンズシート２５の映像光出射面２６の全面積の約５０％とする。
　【０１００】
　かかるフライアイレンズシート２５と前面保護シート２とが、図４または図５に示した方法により、光吸収帯１１で接着されて前面シート４Ｂが形成される。
　【０１０１】
　次に、この第３の実施例の作用について説明する。
　【０１０２】
　透過型スクリーン後方からの映像光は、まず、フレネルレンズシート３によってほぼ平行な光に変換され、フライアイレンズシート２５に入射する。フライアイレンズシート２５に入射した映像光はそのフライアイレンズによってスクリーン画面の水平及び垂直方向に拡散され、拡散された映像光は前面保護シート２を透過して観視者に到達する。
　【０１０３】
　また、スクリーン画面の外側から入射した室内の外光は、前面保護シート２の映像光出射面５で一部が反射されて表面反射光となる。前面保護シート２の内部に入射した外光は、その一部が映像光入射面６で反射されて内部反射光となる。ここで、前面保護シート２の映像光入射面６の全面積のうちの約５０％がそのシート基材と屈折率の差の少ない接着剤を使用した光吸収帯１１との接着面であるため、この接着面での界面反射率はフライアイレンズシート２５と前面保護シート２とが離れている場合の０．０３９から０．０００１へと１／１００以下となり、この内部反射光の強度をフライアイレンズシート２５と前面保護シート２とが離れている場合の約５０％に低減させ、前面保護シート２全体での映り込みを約８０％に改善できる。
　【０１０４】
　このように、この実施例でも、先の実施例と同様に、外光の映り込みが少くなく、室内灯などの外光がある場合でも、映像が観視しやすい。また、スクリーンの表面が平面であるため、高級感があって傷が付きにくく、清掃が容易である。
　【０１０５】
　そして、フライアイレンズシート２５と前面保護シート２を貼り合わせることによって従来よりも前面シート４Ｂの強度が増すため、前面保護シート２の厚さを２ｍｍから１ｍｍに薄くして軽量化できるし、シートの枚数も従来の３枚から２枚に低減したため、ディスプレイ装置に対する透過型スクリーンの取付け構造が単純なものとなった。
　【０１０６】
　また、この実施例でも、各シートでの反射を低減するために、夫々のシートの入出射面に反射防止膜を施すことにより、さらに映り込みを少なくすることができる。
　【０１０７】
　図９は本発明による透過型スクリーンの第４の実施例の要部を示す斜視図であって、４Ｃは前面シート、２５Ａはフライアイレンズシート、２６Ａは映像光出射面、２７Ａは映像光入射面であり、前出図面に対応する部分には同一符号をつけて重複する説明を省略する。
　【０１０８】
　同図において、フライアイレンズシート２５Ａと前面保護シート２とは貼り合わされて前面シート４Ｃを形成しているが、説明の都合上、これらフライアイレンズシート２５Ａと前面保護シート２とは離して図示している。
　【０１０９】
　この実施例も、フライアイレンズシート２５Ａと前面保護シート２とが貼り合わされてなる前面シート４Ｃと、フレネルレンズシート３とからなる２枚構成である。
　【０１１０】
　フライアイレンズシート２５Ａの映像光入射面２７Ａは、フレネルレンズシート３側に凸状のマイクロレンズ素子をスクリーン画面の水平及び垂直方向に連続して並べた形状をなしている。映像光出射面２６Ａの形状は平面であり、そこに格子状の光吸収帯１１が設けられている。映像光出射面２６Ａでの光吸収帯１１で囲まれた光透過部分は、映像光入射面２７Ａでのマイクロレンズ素子に夫々対向している。
　【０１１１】
　これらフライアイレンズシート２５Ａと前面保護シート２とは、図４または図５で示した方法により、光吸収帯１１で接着されて、前面シート４Ｃが構成されている。
　【０１１２】
　かかる構成により、この実施例においても、先の第３の実施例と同様の効果が得られる。
　【０１１３】
　また、この実施例においても、各シートでの反射を低減するために、夫々のシートの映像光入出射面に反射防止膜を施すことにより、さらに映り込みを少なくすることもできる。
　【０１１４】
　図１０は本発明による透過型スクリーンの第５の実施例の要部を示す斜視図であって、２Ａは前面保護シート、６Ａは光入射面、４Ｄは前面シートであり、図１に対応する部分には同一符号をつけて重複する説明を省略する。
　【０１１５】
　同図において、レンチキュラーレンズシート１と前面保護シート２Ａとが貼り合わされて前面シート４Ｄを構成しており、この前面シート４Ｄとフレネルシート３とにより、２枚構成となっている。
　【０１１６】
　ここで、前面保護シート２Ａの光入射面６Ａの形状は、スクリーン画面の水平方向を長手方向とする横長レンチキュラーレンズがスクリーン画面の垂直方向に連続して多数配列した形状をなしている。また、レンチキュラーレンズシート１は第１の実施例におけるものと同様である。
　【０１１７】
　図１１は図１０での光吸収帯１１に沿って縦方向に切断してみたときの縦断面図であって、映像光の拡散状態を示す光線追跡図である。
　【０１１８】
　同図において、レンチキュラーレンズシート１によってスクリーン画面の水平方向の拡散された映像光は、前面保護シート２Ａの光入射面６Ａでの横長レンチキュラーレンズにより、スクリーン画面の垂直方向に拡散される。ここでは、横長レンチキュラーレンズによる光の垂直方向の拡散状態を明確に示すため、光拡散材による映像光の拡散を除いているが、実際には、レンチキュラーレンズシート１の内部で映像光は垂直方向に拡散されており、スクリーン画面の垂直方向の観視可能範囲は、この光拡散材と横長レンチキュラーレンズとの拡散作用が足し合わされたものとなる。
　【０１１９】
　この実施例でも、図１に示した第１の実施例と同様、前面保護シート２Ａの光入射面６Ａの面積のうちの５０％は、そのシート基材と屈折率の差の少ない接着剤を使用した光吸収帯１１との接着面であるから、この接着面での界面反射率は接着しない場合の０．０３９から０．０００１となり、内部反射光の強度を接着しない場合の約５０％に低減させて、前面保護シート２Ａの映り込みを改善できる。
　【０１２０】
　また、前面保護シート２Ａの光出射面５Ａは平面であるため、光沢による高級感があって傷が付きにくく、清掃が容易である。
　【０１２１】
　さらに、レンチキュラーレンズシート１と前面保護シート２Ａとを貼り合わせることによって従来よりも前面シート４Ｄの強度が増すため、前面保護シート２Ａの厚さを２ｍｍから１ｍｍに薄形化して軽量化ができるほか、シートの枚数を従来の３枚から２枚に低減できるため、ディスプレイ装置に対するスクリーンの取付け構造が単純なものとなる。
　【０１２２】
　そして、前面保護シート２Ａの横長レンチキュラーレンズの作用により、図１に示した第１の実施例に比べ、スクリーン画面の垂直方向の観視可能範囲がさらに広い特性が得られる。
　【０１２３】
　また、この実施例においても、各シートでの反射を低減するために、夫々のシートの入出射面に反射防止膜を施すことにより、さらに映り込みを少なくすることもできる。
　【０１２４】
　図１２は図１０での前面シート４Ｄの製造方法の一例を示すものであって、図４，図１０に対応する部分には同一符号をつけている。
　【０１２５】
　同図において、図４に示した方法と同様にして得られたレンチキュラーレンズシート１での光出射面７の光吸収帯１１に、接着剤塗布ロール２０により、黒色の熱可塑性接着剤２２が塗布され、その上に、さらに、前面保護シート圧着ロール２１により、前面保護シート２Ａの予め横長レンチキュラーレンズが成形されている光入射面６Ａが熱圧着によって貼り合わされて、前面シート４Ｄが形成される。
　【０１２６】
　図１３は本発明による透過型スクリーンの第６の実施例の要部を示す斜視図であって、２Ｂは前面保護シート、５Ｂは光出射面、６Ｂは光入射面、４Ｅは前面シートであり、図１に対応する部分には同一符号をつけて重複する説明を省略する。
　【０１２７】
　同図において、この実施例においても、レンチキュラーレンズシート１と前面保護シート２Ｂとが貼り合わされて前面シート４Ｅが形成されており、この前面シート４Ｅとフレネルレンズシート３とで２枚構成となっている。
　【０１２８】
　ここで、前面保護シート４Ｅの光入射面６Ｂの形状が、スクリーン画面の垂直方向を長手方向とする縦長レンチキュラーレンズをスクリーン画面の水平方向に連続して多数配列した形状をなしており、これ以外の点では、図１に示した第１の実施例と同様である。
　【０１２９】
　そこで、スクリーン後方からの映像光は、まず、フレネルレンズシート３によってほぼ平行な光に変換され、次いで、レンチキュラーレンズシート１の縦長レンチキュラーレンズによってスクリーン画面の水平方向に拡散される。また、レンチキュラーレンズシート１の内部に練り込まれた光拡散材により、スクリーン画面の垂直方向にも拡散される。レンチキュラーレンズシート１によってスクリーン画面の垂直及び水平方向に拡散された映像光は、前面保護シート２Ｂの光入射面６Ｂの縦長レンチキュラーレンズにより、スクリーン画面の水平方向にさらに拡散される。
　【０１３０】
　この実施例も、図１に示した第１の実施例と同様、前面保護シート２Ｂの光入射面６Ｂの面積のうちの５０％がそのシート基材と屈折率の差の少ない接着剤を使用した光吸収帯１１との接着面であり、このため、この接着面での界面反射率は接着されていない場合の１／１００以下となる。従って、内部反射光が接着されていない場合の約５０％に低減し、前面保護シート２Ｂの映り込みを改善できる。また、前面保護シート２Ｂの光出射面５Ｂは平面であるため、光沢による高級感があって傷が付きにくく、清掃が容易である。
　【０１３１】
　さらに、レンチキュラーレンズシート１と前面保護シート２Ｂとを貼り合わせることによって貼り合わせない場合よりも前面シート４Ｅの強度が増すため、前面保護シート２Ｂの厚さを２ｍｍから１ｍｍに薄くして軽量化が可能となるし、シートの枚数が貼り合わせない場合の３枚から２枚に低減できるため、ディスプレイ装置に対するスクリーンの取付け構造が単純なものとなる。
　【０１３２】
　そして、前面保護シート２Ｂの縦長レンチキュラーレンズの作用により、図１に示した第１の実施例に比べ、スクリーン画面の水平方向の観視可能範囲がさらに広い特性が得られる。
　【０１３３】
　なお、この実施例でも、各シートでの反射を低減するために、夫々のシートの光入出射面に反射防止膜を施すことにより、さらに映り込みを少なくすることもできる。
　【０１３４】
　また、この実施例での前面シート４Ｅは、図１２に示した方法で製造することができる。
　【０１３５】
　図１４は本発明による透過型スクリーンの第７の実施例の要部を示す斜視図であって、２Ｃは前面保護シート、５Ｃは光出射面、６Ｃは光入射面、４Ｆは前面シートであり、図１に対応する部分には同一符号をつけて重複する説明を省略する。
　【０１３６】
　同図において、この実施例においても、レンチキュラーレンズシート１と前面保護シート２Ｃとが貼り合わされて前面シート４Ｆが形成されており、この前面シート４Ｆとフレネルレンズシート３とで２枚構成になっている。ここで、この前面保護シート２Ｃの光入射面６Ｃの形状が擦りガラス状に微細な凸凹を成形した形状をなしている。
　【０１３７】
　そこで、フレネルレンズシート３から出射した映像光は、レンチキュラーレンズシート１の縦長レンチキュラーレンズによってスクリーン画面の水平方向に拡散される。また、レンチキュラーレンズシート１の内部に練り込まれた光拡散材により、スクリーン画面の垂直方向にも拡散される。レンチキュラーレンズシート１によってスクリーン画面の垂直及び水平方向に拡散された映像光は、前面保護シート２Ｃの光入射面６Ｃの擦りガラス状の微細な凸凹により、スクリーン画面の垂直及び水平方向にさらに拡散される。
　【０１３８】
　かかる構成により、この実施例でも、図１に示した第１の実施例の透過型スクリーンと同様に、前面保護シート２Ｃの光入射面６Ｃの面積のうちの５０％は、シート基材と屈折率の差の少くない接着剤を使用した光吸収帯１１との接着面であり、このため、この接着面での界面反射率は接着されない場合の１／１００以下となり、内部反射光を接着されない場合の約５０％に低減させ、前面保護シート２Ｃの映り込みを改善できる。また、前面保護シート２Ｃの光出射面５Ｃが平面であるため、光沢による高級感があって傷ず付きにくく、清掃が容易である。
　【０１３９】
　さらに、レンチキュラーレンズシート１と前面保護シート２Ｃを貼り合わせることによって貼り合わされない場合よりも前面シート４Ｆの強度が増すため、前面保護シート２Ｃの厚さを２ｍｍから１ｍｍに薄くした軽量化が可能となる。また、シートの枚数は貼り合わされない場合の３枚から２枚に低減できるため、ディスプレイ装置に対するスクリーンの取付け構造が単純なものとなる。
　【０１４０】
　そして、前面保護シート２Ｃの光入射面６Ｃの擦りガラス状の凸凹の拡散作用により、図１に示した第１の実施例に比べて、スクリーン画面の垂直及び水平方向の観視可能範囲のさらに広い特性が得られる。
　【０１４１】
　また、この実施例でも、各シートでの反射を低減するために、夫々のシートの光入出射面に反射防止膜を施すことにより、さらに映り込みを少くなくすることもできる。
　【０１４２】
　さらに、この実施例での前面シート４Ｆは、図１２に示した方法で製造することができる。
　【０１４３】
　なお、上記各実施例では、フレネルレンズシート３の映像光入射面１０を平面形状としたが、スクリーン画面の水平方向を長手方向とするレンチキュラーレンズを複数個、スクリーン画面の垂直方向に連続的に配置した形状としてもよい。これによると、フレネルレンズシート３によっても映像光がスクリーン画面の垂直方向に拡散される。
　【０１４４】
　【発明の効果】
　以上説明したように、本発明によると、前面保護シートを追加しても、映像の明るさを低減させることなく、外光の映り込みを低減することができ、より見やすい映像を得ることができるし、該前面保護シートの光出射面が平面状のスクリーン画面を形成するから、品質感を高め、傷がつきにくくて清掃も容易となる。
　【０１４５】
　また、本発明によると、前面保護シートとレンチキュラーレンズシートとの貼り合わせにより、スクリーン強度が増すため、シートを薄型化して軽量化が可能となるし、シート枚数も従来の３枚から２枚へと低減するから、スクリーンの取付け構造も簡略化し、背面投写型ディスプレイ装置への組付け性能が向上する。
　【０１４６】
　さらに、本発明によると、レンチキュラーレンズシートと前面保護シートとの貼り合わせを１つの装置で行なうことができるから、製造工程を短縮できる。
【図面の簡単な説明】
　【図１】
　本発明による透過型スクリーンの第１の実施例の要部を示す斜視図である。
　【図２】
　図１に示した第１の実施例の横断面図である。
　【図３】
　図１に示した第１の実施例での外光の反射を示す横断面図である。
　【図４】
　図１における前面シートの製造方法の一例を示す概略図である。
　【図５】
　図１における前面シートの製造方法の他の例を示す概略図である。
　【図６】
　本発明による透過型スクリーンの第２の実施例の要部を示す斜視図である。
　【図７】
　図６に示した第２の実施例の横断面図である。
　【図８】
　本発明による透過型スクリーンの第３の実施例の要部を示す斜視図である。
　【図９】
　本発明による透過型スクリーンの第４の実施例の要部を示す斜視図である。
　【図１０】
　本発明による透過型スクリーンの第５の実施例の要部を示す斜視図である。
　【図１１】
　図１０に示した第５の実施例での光の拡散状態の光線追跡を示す図である。
　【図１２】
　図１０における前面シートの製造方法の一例を示す概略図である。
　【図１３】
　本発明による透過型スクリーンの第６の実施例の要部を示す斜視図である。
　【図１４】
　本発明による透過型スクリーンの第７の実施例の要部を示す斜視図である。
　【図１５】
　背面型投写ディスプレイ装置の光学系を示す概略図である。
　【図１６】
　従来の透過形スクリーンの要部を示す斜視図である。
　【図１７】
　レンチキュラーレンズシートの特性を示す横断面図である。
　【図１８】
　前面保護シートを持つ従来の透過形スクリーンの要部を示す斜視図である。
　【図１９】
　図１８における前面保護シートの外光の反射を示す横断面図である。
　【符号の説明】
　１，１Ａ　レンチキュラーレンズシート
　２，２Ａ，２Ｂ，２Ｃ　前面保護シート
　３　フレネルレンズシート
　４，４Ａ，４Ｂ，４Ｃ，４Ｄ，４Ｅ，４Ｆ　前面シート
　５，５Ａ，５Ｂ，５Ｃ　映像光出射面
　６，６Ａ，６Ｂ，６Ｃ　映像光入射面
　７，７Ａ　映像光出射面
　８，８Ａ　映像光入射面
　９　映像光出射面
　１０　映像光入射面
　１１　光吸収帯
　１２　外光
　１３　表面反射光
　１４，１５　内部反射光
　１６　押出し成形機（エクストルーダ）
　１７　シート基材
　１８　映像光出射面成形ロール
　１９　映像光入射面成形ロール
　２０　接着剤塗布ロール
　２１　前面保護シート圧着ロール
　２２　熱可塑性接着剤
　２３　紫外線照明
　２４　紫外線硬化接着剤
　２５，２５Ａ　フライアイレンズシート
　２６，２６Ａ　映像光出射面
　２７，２７Ａ　映像光入射面
　３４　映像光